(57)【要約】いくつかの例証的な実施形態は、無線電力伝送の装置、システム及び／又は方法を含む。例えば、装置は、無線電力送信器（ＷＰＴ）から無線電力受信器（ＷＰＲ）へ無線電力信号を介して供給される要求されている電力の量のインジケーションをＷＰＲとＷＰＴとの間で通信する無線電力コントローラを有してよい。インジケーションは、所定の時間インターバル内で負荷変調事象の形をとる。負荷変調事象は、無線電力信号の磁界のレベルの変化を有する。負荷変調事象の存続期間は、ＷＰＴからＷＰＲへ供給される要求されている電力の量に基づく。
2016526372.tif 000002
【特許請求の範囲】
【請求項１】
無線電力伝送の装置であって、
複数の無線電力受信器によって受信される無線電力信号を送信する無線電力送信器を有し、
前記無線電力送信器は、前記無線電力信号に対する負荷の変化に基づき所定の時間インターバル内で１つ以上の負荷変調事象を検出し、該負荷変調事象に基づき前記複数の無線電力受信器へ供給される電力の量を決定する、
装置。
【請求項２】
前記無線電力送信器は、前記負荷変調事象の数及び前記負荷変調事象の存続期間に基づき前記複数の無線電力受信器へ供給される前記電力の量を決定する、
請求項１に記載の装置。
【請求項３】
前記無線電力送信器は、前記負荷変調事象の前記存続期間の和に基づき前記複数の無線電力受信器へ供給される前記電力の量を決定する、
請求項２に記載の装置。
【請求項４】
前記無線電力送信器は、前記複数の無線電力受信器へ供給される前記決定された電力の量に基づき前記無線電力信号の電力を調整する、
請求項１に記載の装置。
【請求項５】
前記無線電力送信器は、前記複数の無線電力受信器へ供給される前記決定された電力の量が前記無線電力信号によって伝送される実際の電力よりも小さい場合に、前記無線電力信号を送信するのを停止する、
請求項１に記載の装置。
【請求項６】
前記無線電力送信器は、複数の連続した時間インターバルの間に前記負荷変調事象を繰り返し検出する、
請求項１に記載の装置。
【請求項７】
前記無線電力送信器は、夫々の時間インターバルの間に前記複数の無線電力受信器の夫々に対応する１つよりも多い負荷変調事象を検出しない、
請求項６に記載の装置。
【請求項８】
前記無線電力送信器は、磁界を発生させることで前記無線電力信号を送信し、
前記負荷変調事象は、前記磁界のレベルの低下を有する、
請求項１乃至７のうちいずれか一項に記載の装置。
【請求項９】
前記無線電力送信器は、前記無線電力信号を生成する送信共振器と、該送信共振器に対する負荷の変化に基づき前記負荷変調事象を検出する検出器とを有する、
請求項１乃至７のうちいずれか一項に記載に装置。
【請求項１０】
前記検出器は、前記送信共振器における電圧の低下と、前記送信共振器を流れる電流の増大とを有するグループから選択される少なくとも１つのパラメータに基づき、前記負荷変調事象を検出する、
請求項９に記載の装置。
【請求項１１】
無線電力伝送の装置であって、
無線電力送信器から無線電力信号を受信する無線電力受信器を有し、
前記無線電力受信器は、要求される電力の量に基づきある存続期間に前記無線電力信号に対する負荷を変調し、所定の時間インターバルで前記無線電力信号に対する前記負荷の変調を繰り返す、
装置。
【請求項１２】
前記無線電力受信器は、第１の要求される電力の量を表す第１の存続期間に前記無線電力信号に対する前記負荷を変調し、第２の要求される電力の量を表す第２の存続期間に前記無線電力信号に対する前記負荷を変調し、
前記第２の存続期間は、前記第１の存続期間よりも長く、前記第２の要求される電力の量は、前記第１の要求される電力の量よりも多い、
請求項１１に記載の装置。
【請求項１３】
前記無線電力受信器は、遅延期間を選択し、前記無線電力信号の検出と前記無線電力信号に対する前記負荷の変調との間で前記遅延期間待つ、
請求項１１に記載の装置。
【請求項１４】
前記無線電力受信器は、所定範囲の遅延期間の中から前記遅延期間を選択し、
前記存続期間は、前記所定範囲の遅延期間の中の最短の遅延期間よりも短い、
請求項１３に記載の装置。
【請求項１５】
前記無線電力受信器は、前記遅延期間をランダムに選択する、
請求項１３に記載の装置。
【請求項１６】
前記無線電力受信器は、前記無線電力信号のリセットを検出すると、前記遅延期間の前記選択を繰り返す、
請求項１３に記載の装置。
【請求項１７】
前記無線電力受信器は、前記無線電力信号の磁界の低下を引き起こすことによって、前記無線電力信号に対する前記負荷を変調する、
請求項１１乃至１６のうちいずれか一項に記載の装置。
【請求項１８】
無線電力伝送のシステムであって、
無線電力受信器又は無線電力送信器を有するデバイスを有し、
前記デバイスは、
前記無線電力送信器から前記無線電力受信器へ無線電力信号を介して供給される要求されている電力の量のインジケーションを前記無線電力受信器と前記無線電力送信器との間で通信する無線電力コントローラと、
プロセッサと、
メモリと
を有し、
前記インジケーションは、所定の時間インターバル内で負荷変調事象の形をとり、該負荷変調事象は、前記無線電力信号の磁界のレベルの変化を有し、前記負荷変調事象の存続期間は、前記無線電力送信器から前記無線電力受信器へ供給される前記要求されている電力の量に基づく、システム。
【請求項１９】
前記無線電力コントローラは、第１の要求されている電力の量を表す第１の存続期間を有する第１の変調事象を前記無線電力受信器と前記無線電力送信器との間で通信し、第２の要求されている電力の量を表す第２の存続期間を有する第２の変調事象を前記無線電力受信器と前記無線電力送信器との間で通信し、
前記第２の存続期間は、前記第１の存続期間よりも長く、前記第２の要求されている電力の量は、前記第１の要求されている電力の量よりも多い、
請求項１８に記載のシステム。
【請求項２０】
前記デバイスは、前記無線電力送信器を有し、
前記無線電力コントローラは、前記無線電力送信器を制御して、前記無線電力受信器を含む複数の無線電力受信器によって受信される前記無線電力信号を送信し、前記所定の時間インターバル内で１つ以上の負荷変調事象を検出し、該負荷変調事象に基づき前記複数の無線電力受信器へ供給される電力の量を決定する、
請求項１８に記載のシステム。
【請求項２１】
前記デバイスは、前記無線電力受信器を有し、
前記無線電力コントローラは、前記無線電力受信器を制御して、前記要求されている電力の量に基づき前記存続期間に前記無線電力信号に対する負荷を変調し、前記所定の時間インターバルで前記無線電力信号に対する前記負荷の変調を繰り返す、
請求項１８に記載のシステム。
【請求項２２】
無線電力伝送の方法であって、
無線電力送信器と無線電力受信器との間で無線電力信号を通信するステップと、
前記無線電力送信器から前記無線電力受信器へ供給される要求されている電力の量のインジケーションを前記無線電力受信器と前記無線電力送信器との間で通信するステップと
を有し、
前記インジケーションは、所定の時間インターバル内で負荷変調事象の形をとり、該負荷変調事象は、前記無線電力信号の磁界のレベルの変化を有し、前記負荷変調事象の存続期間は、前記無線電力送信器から前記無線電力受信器へ供給される前記要求されている電力の量に基づく、方法。
【請求項２３】
前記無線電力受信器を含む複数の無線電力受信器によって受信される前記無線電力信号を送信し、前記所定の時間インターバル内で１つ以上の負荷変調事象を検出し、該負荷変調事象に基づき前記複数の無線電力受信器へ供給される電力の量を決定するステップ
を有する請求項２２に記載の方法。
【請求項２４】
前記無線電力受信器で前記無線電力信号を受信し、前記要求されている電力の量に基づき前記存続期間に前記無線電力信号に対する負荷を変調し、前記所定の時間インターバルで前記無線電力信号に対する前記負荷の変調を繰り返すステップ
を有する請求項２２に記載の方法。
【請求項２５】
マシンによって実行される場合に、該マシンに、請求項２２乃至２４のうちいずれか一項に記載の方法を実行させるプログラム。
【請求項２６】
請求項２５に記載されるプログラムを記憶したコンピュータ可読記憶媒体。
【発明の詳細な説明】
【技術分野】
【０００１】
いくつかの例証的な実施形態は、複数のデバイス間の無線電力伝送に関する。
【背景技術】
【０００２】
無線テクノロジは進化し続けているので、それに伴い、多彩なデバイスが市場で利用可能になっている。消費者の生活にとって不可欠なものとなっている新興の携帯電話機及びスマートフォンに加えて、如何なる通信手段ももともとは備えていなかった既存のアプリケーションは、無線機器対応になりつつある。例えば、様々な産業用、商用及び／又は家庭用システムは、監視、医療、報告、制御、等の目的のために無線通信を使用することがある。
【０００３】
無線通信の用途が広がるにつれて、無線デバイスの給電が関心事になり得る。この関心事は、モバイル通信デバイスの領域内に主としてあり、無線通信の拡大する適用性は、対応する電力消費の増大を示唆する。電力問題が対処され得る１つの方法は、バッテリサイズ及び／又はデバイス効率を上げることによる。それらの分野の両方における開発は続いているが、無線デバイスのサイズ、コスト、等を制御したいという要望によって妨げされ得る。
【０００４】
モバイル無線デバイスの電力消費が対処され得る他の方法は、デバイスのより容易な充電を促すことによる。既存のシステムでは、バッテリにより駆動されるデバイスは、充電のために、他の電源、例えば、グリッド電源、ソーラー電力、燃料電池、及び同様のものへ定期的に結合されなければならない。通常、これは、充電されるデバイスに特有の充電器を保持することと、ある期間にデバイスを充電コードへ機械的に結合することとを要する。
【０００５】
充電の分野の進歩は、この厄介なプロセスを置換するために開発されている。例えば、無線充電は、充電される特定のデバイスに対応する充電設備を有する必要条件を取り除くことができる。
【０００６】
無線電力伝送は、“最後のコードを切ること”と、デバイスを充電するためにプラグを差し込む必要性からユーザを解放することと、例えば、コネクタなしのデバイスを可能にすることによって、設計空間を変更することとによって、電子機器を変形させる可能性を有する。
【０００７】
１つの無線充電テクノロジ（ＷＣＴ；Wireless  Charging  Technology）のアプローチは、単一の無線電力送信器（ＷＰＴ；Wireless  Power  Transmitter）が複数の無線電力受信器（ＷＰＲ；Wireless  Power  Receiver）を同時に充電することを可能にすることである。
【０００８】
しかし、信頼できる効率的な様態でそのようなアプローチを実施するために、ＷＰＴは、ＷＰＴの充電エリア内に現在置かれているＷＰＲの数を検出し、充電エリア内に置かれてはいるがＷＰＲでない他のデバイスをＷＰＲと区別する能力を有するべきである。
【０００９】
１つの解決法は、ＷＰＴとＷＰＲとの間でＢｌｕｅｔｏｏｔｈ（登録商標）低エネルギ（low  energy）（ＢＬＥ）通信を使用することである。例えば、夫々のＷＰＲは、一意のＢＬＥ名を有することができ、自身が消費した電力の量に関するデータを送信するためにＢＬＥリンクを継続的に使用してよい。
【００１０】
しかし、ＢＬＥ通信は、ＷＰＴとＷＰＲとの間の通信リンクを確立することを必要とし得る。これは、例えば、ＷＰＴがＷＰＲを探す必要があり得ること、及び／又はＢＬＥリンクをセットアップするのに通信セットアップ時間を必要とし得ることにより、電力消費を増大させることがある。
【図面の簡単な説明】
【００１１】
説明の簡単及び明りょうさのために、図示される要素は、必ずしも実寸通りではない。例えば、要素のいくつかの寸法は、表現の明りょうさのために、他の要素に対して誇張されることがある。更に、参照符号は、対応する又は同じ要素を示すために図間で繰り返し用いられることがある。以下に、各図の簡単な説明を述べる。
【００１２】
【図１】いくつかの例証的な実施形態に従うシステムの概略的なブロック図表示である。
【００１３】
【図２】いくつかの例証的な実施形態に従う、単一の無線電力受信器（ＷＰＲ）による負荷変調を受ける無線電力送信器（ＷＰＴ）の磁界の略図である。
【００１４】
【図３】いくつかの例証的な実施形態に従う、３つのＷＰＲによる負荷変調を受けるＷＰＴの磁界の略図である。
【００１５】
【図４】いくつかの例証的な実施形態に従う、ＷＰＲによって生成される負荷変調事象の略図である。
【００１６】
【図５】いくつかの例証的な実施形態に従う、負荷変調事象を生成する方法の概略的なフローチャート表示である。
【００１７】
【図６】いくつかの例証的な実施形態に従う、無線電力伝送を制御する方法の概略的なフローチャート表示である。
【００１８】
【図７】いくつかの例証的な実施形態に従う製品の略図である。
【発明を実施するための形態】
【００１９】
以下の詳細な説明では、多数の具体的な詳細が、いくつかの実施形態の完全な理解を提供するために説明されている。なお、当業者に明らかなように、いくつかの実施形態は、そのような具体的な詳細によらずとも実施され得る。他の例では、よく知られている方法、プロシージャ、コンポーネント、ユニット及び／又は回路は、議論を不明りょうにしないように、詳細には記載されていない。
【００２０】
例えば、“処理する（processing）”、“計算する（computing）”、“算出する（calculating）”、“決定する（determining）”、“確立する（establishing）”、“解析する（analyzing）”、“確認する（checking）”、又は同様のもののような語を利用するここでの議論は、コンピュータのレジスタ及び／又はメモリ内で物理（例えば、電子）量として表現されるデータを操作及び／又は変換して、コンピュータレジスタ及び／又はメモリ、あるいは、動作及び／又はプロセスを実行する命令を記憶し得る他の情報記憶媒体内で同様に物理量として表現される他のデータとするコンピュータ、コンピューティングプラットフォーム、コンピューティングシステム、又は他の電子コンピューティングデバイスの動作及び／又はプロセスを指してよい。
【００２１】
ここで使用される語“多数（plurality）”及び“複数（a  plurality）”は、例えば、“多数からなる（multiple）”又は“２つ以上（two  or  more）”を含む。例えば、“複数の項目（a  plurality  of  items）”は、２つ以上の項目（two  or  more  items）を含む。
【００２２】
“一実施形態（one  embodiment）”、“実施形態（an  embodiment）”、“例証的な実施形態（demonstrative  embodiment）”、“様々な実施形態（various  embodiment）”等への言及は、そのように記載される実施形態が特定の機能、構造、又は特性を有し得るが、あらゆる実施形態が必ずしもその特定の機能、構造、又は特性を有するわけではないことを示す。更に、“一実施形態において（in  one  embodiment）”との語句のたびたびの使用は、同じ実施形態に言及していることもあるが、必ずしもそうではない。
【００２３】
ここで使用されるように、別なふうに特定されない限りは、同じ対象について説明する序数詞“第１（first）”、“第２（second）”、“第３（third）”等の使用は、同じ態様の異なるインスタンスが言及されていることを単に示しているにすぎず、そのように記載された対象が時間的に、空間的に、ランキングにおいて、又は何らかの他の様態において、所与の順でなければならないことを暗示するよう意図されない。
【００２４】
いくつかの実施形態は、様々なデバイス及びシステム、例えば、パーソナルコンピュータ（ＰＣ；Personal  Computer）、デスクトップコンピュータ、モバイルコンピュータ、ラップトップコンピュータ、ノートブックコンピュータ、タブレットコンピュータ、Ｕｌｔｒａｂｏｏｋ（登録商標）コンピュータ、サーバコンピュータ、ハンドヘルドコンピュータ、ハンドヘルドデバイス、ペリフェラルデバイス、パーソナルデジタルアシスタント（ＰＤＡ；Personal  Digital  Assistant）デバイス、ハンドヘルドＰＤＡデバイス、無線充電デバイス、オンボードデバイス、オフボードデバイス、ハイブリッドデバイス、車両用デバイス、非車両デバイス、モバイル又はポータブルデバイス、コンシューマデバイス、非モバイル又は非ポータブルデバイス、無線通信局、無線通信デバイス、ビデオデバイス、オーディオデバイス、オーディオビデオ（Ａ／Ｖ）デバイス、ペリフェラルデバイス、及び同様のものとともに使用されてよい。
【００２５】
いくつかの実施形態は、既存のアライアンスフォーワイヤレスパワー（Ａ４ＷＰ；Alliance  for  Wireless  Power）規格（A4WP  Wireless  Power  Transfer  System  Basｅline  System  Specification  (BSS)  Proposal  Version  1.0.4、２０１３年３月６日）並びに／又はその将来のバージョン及び／若しくは派生物に従って動作するデバイス及び／又はシステム、既存のワイヤレスパワーコンソーシアム（ＷＰＣ；Wireless  Power  Consortium）規格（“System  Description,  Wireless  Power  Transfer,  Volume  I:  Low  Power,  Part  1:  Interface  Definition,  Version  1.1.1,  July  2012”を含む。）並びに／又はその将来のバージョン及び／若しくは派生物に従うデバイス及び／又はシステム、無線充電規格や無線伝送規格に従って動作するデバイス及び／又はネットワーク、上記のシステムの部分であるユニット及び／又はデバイス、並びに同様のものとともに使用されてよい。
【００２６】
ここで使用される“無線デバイス（wireless  device）”との語句は、例えば、無線通信可能なデバイス、無線通信可能な通信デバイス、無線通信可能な通信局、無線通信可能なポータブル若しくは非ポータブルデバイス、又は同様のものを含む。いくつかの例証的な実施形態では、無線デバイスは、コンピュータと一体化されている周辺機器、又はコンピュータに取り付けられている周辺機器であってよく、あるいは、そのような周辺機器を含んでよい。いくつかの例証的な実施形態では、語“無線デバイス”は、任意に、無線サービスを含んでよい。
【００２７】
無線通信信号に関してここで使用される語“通信する（communicating）”は、無線通信信号を送信すること及び／又は無線通信信号を受信することを含む。例えば、無線通信信号を通信することができる無線通信ユニットは、無線通信信号を少なくとも１つの他の無線通信ユニットへ送信する無線送信器、及び／又は無線通信信号を少なくとも１つの他の無線通信ユニットから受信する無線通信受信器を含んでよい。
【００２８】
ここで使用される“無線電力信号（wireless  power  signal）”との語句は、例えば、第１のデバイス（“電力送信器”、“無線電力送信器（ＷＰＴ）”又は“電力送信器ユニット（ＰＴＵ；Power  Transmitter  Unit）”とも称される。）から少なくとも１つの第２のデバイス（“電力受信器”、“無線電力受信器（ＷＰＲ）”又は“電力受信器ユニット（ＰＲＵ；Power  Receiver  Unit）”とも称される。）への無線媒体を介した（例えば、電力送信器と電力受信器との間で電力を伝送するために電気ケーブル又はワイヤを使用することによらない）電力の伝送を含む。
【００２９】
一例において、無線電力信号は、磁界の形をとってよく、電力受信器で電流を引き起こすよう構成されてよい。代替的に、無線電力信号は、電力送信器から電力受信器へ電力を伝送する如何なる他の形式も含んでよい。
【００３０】
これより、図１が参照される。図１は、いくつかの例証的な実施形態に従うシステム１００を概略的に表す。
【００３１】
図１に示されるように、いくつかの例証的な実施形態では、システム１００は、例えば、デバイス１５０、デバイス１４３及び／又はデバイス１４７を含む複数のデバイスによって受信される少なくとも１つの無線電力信号１０２を、例えば、以下で記載されるように、デバイス１５０、１４３及び／又は１４７を充電するために、送信するよう構成される少なくとも１つのデバイス１１０（“充電デバイス”）を有してよい。
【００３２】
いくつかの例証的な実施形態では、デバイス１１０は、無線電力信号１０２を、例えば、複数のデバイス１５０、１４３及び／又は１４７のうちの２つ以上を、例えば同時に、充電するために、送信してよい。
【００３３】
いくつかの実施形態では、図１に示されるように、デバイス１１０は、無線電力信号１０２を複数のデバイスへ送信してよく、他の実施形態では、デバイス１１０は、単一のデバイスによって受信される少なくとも１つの無線電力信号１０２を送信してよい。
【００３４】
いくつかの例証的な実施形態では、デバイス１１０は、無線電力信号１０２を送信するよう構成される無線電力送信器（ＷＰＴ）を有してよく、デバイス１５０は、無線電力受信器（ＷＰＲ）１５２を有してよく、デバイス１４３は、ＷＰＲ１４５を有してよく、且つ／あるいは、デバイス１４７は、ＷＰＲ１４９を有してよい。ＷＰＲ１５２、１４５及び１４９は、無線電力信号１０２を受信するよう構成される。
【００３５】
いくつかの例証的な実施形態では、ＷＰＲ１５２は、デバイス１５０の少なくとも１つのデバイス負荷１９３へ電力を供給するよう構成されてよく、ＷＰＲ１４５は、デバイス１４３の少なくとも１つのデバイス負荷へ電力を供給するよう構成されてよく、且つ／あるいは、ＷＰＲ１４９は、デバイス１４７の少なくとも１つのデバイス負荷へ電力を供給するよう構成されてよい。
【００３６】
いくつかの例証的な実施形態では、デバイス１５０、デバイス１４３及び／又はデバイス１４７は、バッテリにより駆動されるデバイスであってよい。
【００３７】
一例において、負荷１９３は、デバイス１５０のバッテリ１９１を含んでよい。例えば、ＷＰＲ１５２は、バッテリ１９１を充電するために電力を供給するよう構成されてよい。
【００３８】
例えば、デバイス１５０、デバイス１４３及び／又はデバイス１４７は、携帯電話機、スマートフォン、時計、モバイルコンピュータ、ラップトップコンピュータ、タブレットコンピュータ、Ｕｌｔｒａｂｏｏｋ（登録商標）コンピュータ、ノートブックコンピュータ、ビデオデバイス、ディスプレイデバイス、ハンドヘルドコンピュータ、ハンドヘルドデバイス、ＰＤＡデバイス、ハンドヘルドＰＤＡデバイス、ハイブリッドデバイス（例えば、携帯電話機の機能とＰＡデバイスの機能とを結合したもの）、コンシューマデバイス、車両用デバイス、非車両用デバイス、モバイル又はポータブルデバイス、セルラー電話機、パーソナル通信システムズ（ＰＣＳ；Personal  Communication  Systems）デバイス、無線通信デバイスを組み込むＰＤＡデバイス、モバイル又はポータブルＧＰＳデバイス、比較的小型のコンピューティングデバイス、非デスクトップコンピュータ、“キャリー・スモール・ライブ・ラージ（ＣＳＬＬ；Carry  Small  Live  Large）”デバイス、ウルトラモバイルデバイス（ＵＭＤ；Ultra  Mobile  Device）、ウルトラモバイルＰＣ（ＵＭＰＣ；Ultra  Mobile  PC）、モバイルインターネットデバイス（ＭＩＤ；Mobile  Internet  Device）、“オリガミ（Origami）”デバイス又はコンピューティングデバイス、オーディオデバイス、Ａ／Ｖデバイス、パーソナルメディアプレイヤー（ＰＭＰ；Personal  Media  Player）、デジタルビデオカメラ（ＤＶＣ；Digital  Video  Camera）、デジタルオーディオプレイヤー、デジタル静止カメラ（ＤＳＣ；Digital  Still  Camera）、メディアプレイヤー、音楽プレイヤー、あるいは、同様のものを含んでよい。
【００３９】
他の実施形態では、デバイス１５０、デバイス１４３及び／又はデバイス１４７は、デバイス１１０から受け取った電力を直接消費するよう構成され得るデバイス、例えば、ペリフェラルデバイスを有してよい。
【００４０】
一例において、負荷１９３は、ＷＰＲ１５２によって供給される電力を利用するよう構成され得るデバイス１５０の１つ以上のコンポーネント１９５を含んでよい。例えば、ＷＰＲ１５２は、１つ以上のコンポーネント１９５によって消費される電力を供給するよう構成されてよい。
【００４１】
例えば、デバイス１５０、デバイス１４３及び／又はデバイス１４７は、無線マウス、無線キーボード、無線記憶デバイス、無線センサデバイス、無線オーディオデバイス、無線スピーカデバイス、無線マイクロホン、無線ジョイスティック、トラックボール、リモートコントロール、及び同様のものを含んでよい。
【００４２】
いくつかの例証的な実施形態では、デバイス１１０は、非モバイルデバイス、例えば、パーソナルコンピュータ（ＰＣ）、デスクトップコンピュータ、専用充電器デバイス、車両用デバイス、自動車充電器、オンボードデバイス、オフボードデバイス、コンシューマデバイス、ビデオデバイス、オーディオデバイス、Ａ／Ｖデバイス、又は同様のものを含んでよい。
【００４３】
他の実施形態では、デバイス１１０は、モバイルデバイス、例えば、モバイル充電器、充電器パッド、充電器プレート、充電器ボード、充電器カバー、充電器マット、充電ケース、充電スリーブ、携帯電話機、スマートフォン、時計、モバイルコンピュータ、ラップトップコンピュータ、タブレットコンピュータ、Ｕｌｔｒａｂｏｏｋ（登録商標）コンピュータ、ノートブックコンピュータ、ビデオデバイス、ディスプレイデバイス、ハンドヘルドコンピュータ、ハンドヘルドデバイス、ＰＤＡデバイス、ハンドヘルドＰＤＡデバイス、ハイブリッドデバイス（例えば、携帯電話機の機能とＰＤＡデバイスの機能とを結合したもの）、コンシューマデバイス、車両用デバイス、非車両用デバイス、モバイル又はポータブルデバイス、セルラー電話機、ＰＣＳデバイス、無線通信デバイスを組み込むＰＤＡデバイス、モバイル又はポータブルＧＰＳデバイス、比較的小型のコンピューティングデバイス、非デスクトップコンピュータ、“キャリー・スモール・ライブ・ラージ（ＣＳＬＬ）”デバイス、ウルトラモバイルデバイス（ＵＭＤ）、ウルトラモバイルＰＣ（ＵＭＰＣ）、モバイルインターネットデバイス（ＭＩＤ）、“オリガミ（Origami）”デバイス又はコンピューティングデバイス、オーディオデバイス、Ａ／Ｖデバイス、パーソナルメディアプレイヤー（ＰＭＰ）、デジタルビデオカメラ（ＤＶＣ）、デジタルオーディオプレイヤー、デジタル静止カメラ（ＤＳＣ）、メディアプレイヤー、音楽プレイヤー、あるいは、同様のものを含んでよい。
【００４４】
一例において、デバイス１１０は、第１のモバイルデバイス、例えば、モバイルコンピュータ、例えば、Ｕｌｔｒａｂｏｏｋ（登録商標）コンピュータ、ラップトップコンピュータ又はノートブックコンピュータを有してよく、デバイス１５０、デバイス１４３及び／又はデバイス１４７は、少なくとも１つの第２のモバイルデバイス、例えば、携帯電話機、他のモバイルコンピュータ、及び同様のものを有してよい。
【００４５】
他の例では、デバイス１１０は、モバイルコンピュータ、例えば、Ｕｌｔｒａｂｏｏｋ（登録商標）コンピュータ、ラップトップコンピュータ又はノートブックコンピュータを有してよく、デバイス１５０、デバイス１４３及び／又はデバイス１４７は、モバイルコンピュータの周辺機器、例えば、無線キーボード、無線マウス、無線マイクロホン、無線スピーカ、無線ジョイスティック、及び同様のものを有してよい。
【００４６】
他の例では、デバイス１１０は、ステーショナリデバイス、例えば、ＰＣ又はデスクトップコンピュータを有してよく、デバイス１５０、デバイス１４３及び／又はデバイス１４７は、ステーショナリデバイスの周辺機器、例えば、無線キーボード、無線マウス、無線マイクロホン、無線スピーカ、無線ジョイスティック、及び同様のもの、又はステーショナリデバイスによって充電されるモバイルデバイス、例えば、携帯電話機、モバイルコンピュータ、及び同様のものを有してよい。
【００４７】
他の実施形態では、デバイス１１０、１５０、１４３及び／又は１４７は、モバイル又は非モバイルデバイスのあらゆる他の組み合わせも含んでよい。
【００４８】
いくつかの例証的な実施形態では、ＷＰＴ１１２は、例えば、オブジェクト、例えば、デバイス１５０、デバイス１４３及び／又はデバイス１４７が、無線電力信号１０２がＷＲＰ１５２、ＷＰＲ１４５及び／又はＷＰＲ１４９によって有効に受信され得るほど近接して又はデバイス１１０と接触して所定範囲（“充電範囲”）内にあることを検出すると、電力信号１０２を介して電力を送信するよう構成されてよい。
【００４９】
いくつかの例証的な実施形態では、ＷＰＲ１５２は、無線電力信号１０２を受信してよく、そして、デバイス１５０のバッテリ１９１を充電し、且つ／あるいは、デバイス１５０の１つ以上のコンポーネント１９５を動作させるよう電力を供給してよい。ＷＰＲ１４５は、無線電力信号１０２を受信してよく、そして、電力をデバイス１４３の負荷へ供給してよい。そして／あるいは、ＷＰＲ１４９は、無線電力信号１０２を受信してよく、そして、電力をデバイス１４７の負荷へ供給してよい。
【００５０】
いくつかの例証的な実施形態では、ＷＰＴ１１２は、電源１２０から受けた電力を増幅させる電力増幅器（ＰＡ；Power  Amplifier）１２２を有してよい。
【００５１】
一例において、電源１２０は、デバイス１１０の内部電源、例えば、デバイス１１０のバッテリを含んでよい。
【００５２】
他の例では、電源１２０は、壁面アダプタ及び／又はコンバータ、例えば、外部電源から、例えば電源コード又はケーブルを介して、受けた電力を変換するＤＣ（Direct  Current）−ＤＣ（ＤＣ２ＤＣ）コンバータ又はＡＣ（Alternating  Current）−ＤＣ（ＡＣ２ＤＣ）コンバータを含んでよい。
【００５３】
いくつかの例証的な実施形態では、ＷＰＴ１１２は、ＰＡ１２２からの電力を、例えば、無線周波数（ＲＦ；Radio  Frequency）信号の形をとる、無線充電信号１０２に変換するよう構成される送信（Ｔｘ；Transmitter）共振器１２６を有してよい。例えば、Ｔｘ共振器１２６は、ＰＡ１２２によって供給される電力に応答して充電信号１０２を生成することができる磁界発生器を有してよい。一例において、Ｔｘ共振器１２６は、コイル又は導電ワイヤを含んでよい。
【００５４】
いくつかの例証的な実施形態では、ＷＰＴ１１２は、例えば、ＰＡ１２２とＴｘ共振器１２６との間の電力伝送を最大限とするよう、且つ／あるいは、Ｔｘ共振器１２６からの反射を最小限とするよう、ＰＡ１２２とＴｘ共振器１２６との間の電気インピーダンスを整合させる整合ネットワーク１２４を有してよい。
【００５５】
いくつかの例証的な実施形態では、ＷＰＲ１５２、ＷＰＲ１４５及び／又はＷＰＲ１４９は、無線充電信号１０２を電力信号に変換するよう構成される受信（Ｒｘ；Receiver）共振器１６６を有してよい。例えば、Ｒｘ共振器１６６はコイルを含んでよい。
【００５６】
いくつかの例証的な実施形態では、ＷＰＲ１５２は、Ｒｘ共振器１６６によって受信された電力信号を、負荷１９３に、例えば、バッテリ１９１を充電するのに、且つ／あるいは、デバイス１５０の１つ以上のコンポーネント１９５に給電するのに適した電力信号に変換するＤＣ２ＤＣコンバータを有してよい。
【００５７】
いくつかの例証的な実施形態では、ＷＰＲ１５２は、例えば、Ｒｘ共振器１６６と負荷１９３との間の電力伝送を最大限とするよう、且つ／あるいは、負荷１９３からの反射を最小限とするよう、Ｒｘ共振器１６６と負荷１９３との間の電気インピーダンスを整合させる整合ネットワーク１６４を有してよい。ＷＰＲ１５２は、整合ネットワーク１６４からの電力信号をＤＣ信号に変換する整流器（図示せず。）を更に有してよい。
【００５８】
いくつかの例証的な実施形態では、ＷＰＴ１１２は、例えば、以下で記載されるように、無線電力信号１０２を生成するようＴｘ共振器１２６へ供給される電流を制御することによって、ＷＰＴ１１２の１つ以上の動作を制御する無線電力コントローラ（“コントローラ”）１１４を有してよい。
【００５９】
いくつかの例証的な実施形態では、ＷＰＲ１５２は、例えば、以下で記載されるように、ＷＰＴ１１２と通信するよう、ＷＰＲ１５２の１つ以上の動作を制御する無線電力コントローラ（“コントローラ”）１５４を有してよい。
【００６０】
いくつかの例証的な実施形態では、ＷＰＲ１４５及び／又はＷＰＲ１４９は、例えば、ＷＰＲ１５２の機能性と同様に、デバイス１４３及び／又は１４７の負荷へ電力を供給するＷＰＲの機能性を実行するよう構成されてよい。
【００６１】
いくつかの例証的な実施形態では、デバイス１１０は、例えば、プロセッサ１３４、入力ユニット１３０、出力ユニット１３２、メモリユニット１３６、記憶ユニット１３８、及び／又は無線通信モジュール１４０のうちの１つ以上を更に有してよい。デバイス１５０、１４３及び／又は１４７は、例えば、プロセッサ１８４、入力ユニット１８０、出力ユニット１８２、メモリユニット１８６、記憶ユニット１８８、及び／又は無線通信モジュール１９０のうちの１つ以上を更に有してよい。デバイス１１０及び／又は１５０は、任意に、他の適切なハードウェアコンポーネント及び／又はソフトウェアコンポーネントを有してよい。いくつかの例証的な実施形態では、デバイス１１０及び／又はデバイス１５０のコンポーネントの一部又は全ては、共通の筐体又はパッケージングに収容されてよく、１つ以上の有線又は無線リンクを用いて相互に接続されるか又は動作上関連付けられてよい。他の実施形態では、デバイス１１０及び／又は１５０のコンポーネントは、複数の又は別個のデバイスの間で分配されてよい。
【００６２】
プロセッサ１３４及び／又はプロセッサ１８４は、例えば、中央演算処理装置（ＣＰＵ；Central  Processing  Unit）、デジタル信号プロセッサ（ＤＳＰ；Digital  Signal  Processor）、１つ以上のプロセッサコア、シングルコアプロセッサ、デュアルコアプロセッサ、マルチコアプロセッサ、マイクロプロセッサ、ホストプロセッサ、コントローラ、複数のプロセッサ又はコントローラ、チップ、マイクロチップ、１つ以上の回路、回路構成、ロジックユニット、集積回路（ＩＣ；Integrated  Circuit）、特定用途向けＩＣ（ＡＳＩＣ；Application-Specific  IC）、あるいは、何らかの他の適切な多目的又は特定のプロセッサ又はコントローラを含む。プロセッサ１３４は、例えば、デバイス１１０のオペレーティングシステム（ＯＳ；Operating  System）の及び／又は１つ以上の適切なアプリケーションの命令を実行してよく、プロセッサ１８４は、例えば、デバイス１５０のＯＳの及び／又は１つ以上の適切なアプリケーションの命令を実行してよい。
【００６３】
入力ユニット１３０及び／又は入力ユニット１８０は、例えば、キーボード、キーパッド、マウス、タッチスクリーン、タッチパッド、トラックボール、スタイラス、マイクロホン、又は他の適切なポインティングデバイス若しくは入力デバイスを含む。出力ユニット１３２及び／又は出力ユニット１８２は、例えば、モニタ、スクリーン、タッチスクリーン、フラットパネルディスプレイ、陰極線管（ＣＲＴ；Cathode  Ray  Tube）ディスプレイユニット、液晶表示（ＬＣＤ；Liquid  Crystal  Display）ディスプレイユニット、プラズマディスプレイユニット、１つ以上のオーディオスピーカ若しくはイヤホン、又は他の適切な出力デバイスを含む。
【００６４】
メモリユニット１３６及び／又はメモリユニット１８６は、例えば、ランダムアクセスメモリ（ＲＡＭ；Random  Access  Memory）、読出専用メモリ（ＲＯＭ；Read  Only  Memory）、動的（Dynamic）ＲＡＭ（ＤＲＡＭ）、同期（Synchronous）ＤＲＡＭ（ＳＤＲＡＭ）、フラッシュメモリ、揮発性メモリ、不揮発性メモリ、キャッシュメモリ、バッファ、短期記憶ユニット、長期記憶ユニット、又は他の適切なメモリユニットを含む。記憶ユニット１３８及び／又は記憶ユニット１８８は、例えば、ハードディスクドライブ、フロッピー（登録商標）ディスクドライブ、コンパクトディスク（ＣＤ；Compact  Disc）ドライブ、ＣＤ−ＲＯＭドライブ、ＤＶＤドライブ、又は他の適切なリムーバブル若しくは非リムーバブル記憶ユニットを含む。メモリユニット１３６及び／又は記憶ユニット１３８は、例えば、デバイス１１０によって処理されるデータを記憶してよく、メモリユニット１８６及び／又は記憶ユニット１８８は、例えば、デバイス１５０によって処理されるデータを記憶してよい。
【００６５】
いくつかの例証的な実施形態では、無線通信モジュール１４０及び／又は１９０は、例えば、無線通信信号、ＩＲ信号、Ｂｌｕｅｔｏｏｔｈ（登録商標）信号、ＲＦ信号、フレーム、ブロック、送信ストリーム、パケット、メッセージ、データ項目、及び／又はデータを送信及び／又は受信することができる１つ以上の無線送信器、受信器及び／又はトランシーバを含む１つ以上のラジオを含んでよい。例えば、無線通信モジュール１４０及び／又は１９０は、無線ネットワークインタフェースカード（ＮＩＣ；Network  Interface  Card）及び同様のものの部分を含んでよく、あるいは、そのような部分として実装されてよい。
【００６６】
いくつかの例証的な実施形態では、ＷＰＴ１１２は、例えば、以下で記載されるように、ＷＰＲがＷＰＴ１１２の充電範囲内に位置する場合を検出するよう構成されてよい。
【００６７】
いくつかの例証的な実施形態では、ＷＰＴ１１２は、例えば、以下で記載されるように、ＷＰＴ１１２の充電範囲内にあるＷＰＲと、ＷＰＴ１１２の充電範囲内にあり得る他のオブジェクト又はデバイス（“非ＷＰＲオブジェクト”）とを区別するよう構成されてよい。
【００６８】
いくつかの例証的な実施形態では、ＷＰＴ１１２は、例えば、以下で記載されるように、ＷＰＴ１１２の充電範囲内に位置するＷＰＲの数を検出するよう構成されてよい。
【００６９】
いくつかの例証的な実施形態では、ＷＰＴ１１２は、例えば、以下で記載されるように、ＷＰＴ１１２の充電範囲内の１つ以上のＷＰＲへ供給される電力の量を検出するよう構成されてよい。
【００７０】
いくつかの例証的な実施形態では、ＷＰＲがＷＰＴ１１２の充電範囲内に位置する場合を検出すること、ＷＰＴ１１２の充電範囲内に位置するＷＰＲと非ＷＰＲオブジェクトとを区別すること、ＷＰＴ１１２の充電範囲内のＷＰＲの数を検出すること、及び／又はＷＰＴ１１２の充電範囲内の１つ以上のＷＰＲへ供給される電力の量を検出することは、ＷＰＴ１１２が、効率的な及び／又は信頼できる様態で、無線電力信号１０２を介して電力伝送を管理することを可能にしてよい。
【００７１】
例えば、ＷＰＲがＷＰＴ１１２の充電範囲内に位置する場合を検出すること、ＷＰＴ１１２の充電範囲内に位置するＷＰＲと非ＷＰＲオブジェクトとを区別すること、ＷＰＴ１１２の充電範囲内のＷＰＲの数を検出すること、及び／又はＷＰＴ１１２の充電範囲内の１つ以上のＷＰＲへ供給される電力の量を検出することは、ＷＰＴ１１２が、無線電力信号１０２を介して伝送される電力の総量を決定することを可能にしてよい。
【００７２】
いくつかの例証的な実施形態では、ＷＰＴ１１２は、低電力モードで動作してよい。そのモードの間、ＷＰＴ１１２は、ＷＰＴ１１２の充電範囲にある少なくとも１つのＷＰＲを検出しようと試みてよい。例えば、ＷＰＴ１１２は、例えば、以下で記載されるように、ＷＰＴ１１２の充電範囲にある１つ以上のＷＰＲを検出することを可能にするよう、低電力で無線電力信号１０２を生成してよい。
【００７３】
いくつかの例証的な実施形態では、ＷＰＴ１１２は、例えば、以下で記載されるように、ＷＰＴ１１２の充電範囲内の検出されたＷＰＲの数に基づき、且つ、検出されたＷＰＲの夫々へ伝送される電力の量に基づき、無線電力信号１０２を介して伝送される電力の量を決定してよい。
【００７４】
いくつかの例証的な実施形態では、ＷＰＲと非ＷＰＲデバイスとを区別することは、ＷＰＴ１１２が、例えば、非ＷＰＲで“浪費”され得る電力を無線電力信号１０２に与えることを回避しながら、実際のＷＰＲの実際の電力要求に基づき無線電力信号１０２へ電力を与えることを可能にしてよい。
【００７５】
いくつかの例証的な実施形態では、無線通信リンク、例えば、赤外線（ＩＲ；Infra-Red）リンク、Ｂｌｕｅｔｏｏｔｈ（登録商標）リンク、Ｂｌｕｅｔｏｏｔｈ低エネルギ（ＢＬＥ）リンク、又は何らかの他の無線通信リンクを使用して、ＷＰＴ１１２が、ＷＰＲ１５２を検出すること及び／又はＷＰＲ１５２によって消費される電力の量に関する情報をＷＰＲ１５２とＷＰＴ１１２との間で通信することを可能にすることは、効率的でないことがある。
【００７６】
例えば、そのような解決法は、ＷＰＴ１１２とＷＰＲ１５２、１４５及び／又は１４９との間で通信リンクを確立することを要し、それにより、例えば、ＷＰＴ１１２がＷＰＲからの無線通信信号を探すよう求められ得ること、及び／又はＷＰＴ１１２とＷＰＲ１５２、１４５及び／又は１４９との間で通信リンクを確立することがリンクをセットアップするための通信セットアップ時間を必要とし得ることにより、ＷＰＴ１１２の電力消費が増大し得るので、非効率的であり得る。
【００７７】
いくつかの例証的な実施形態では、ＷＰＴ１１２は、例えば、以下で記載されるように、無線充電信号１０２に対する負荷の変化を検出することによって、デバイス１５０、デバイス１４３及び／又はデバイス１４７がＷＰＴ１１２の充電範囲内に物理的に置かれる場合を検知するよう構成されてよい。
【００７８】
いくつかの例証的な実施形態では、ＷＰＴ１１２は、例えば、以下で記載されるように、Ｔｘ共振器１２６に対する負荷の変化に基づき、ＷＰＲ１５２、ＷＰＲ１４５及び／又はＷＰＲ１４９がＷＰＴ１１２の充電範囲内にある場合を検出してよい。
【００７９】
いくつかの例証的な実施形態では、複数のＷＰＲの存在を検出するために、例えば、夫々のＴｘ共振器が単一の各自のＷＰＲに専用であり得るように、複数のＴｘ共振器１２６を使用することは、効率的でない。例えば、そのような解決法は、Ｔｘ共振器１２６の及び／又はＷＰＴ１１２の比較的複雑な実施を必要とし得る。
【００８０】
いくつかの例証的な実施形態では、ＷＰＲ１５２、ＷＰＲ１４５及び／又はＷＰＲ１４９は、例えば、以下で記載されるように、無線電力信号１０２の負荷を変調するよう構成されてよい。
【００８１】
いくつかの例証的な実施形態では、ＷＰＲ１５２、ＷＰＲ１４５及び／又はＷＰＲ１４９は、無線電力信号１０２に対する負荷を制御可能に変調する負荷変調器１５５を有してよい。例えば、コントローラ１５４は、例えば、負荷１９３の実際の負荷に加えて、適用され得る負荷（“変調負荷”）を増大又は低減させることによって、無線信号１０２に対する負荷を変調するよう負荷変調器１５５を制御してよい。
【００８２】
いくつかの例証的な実施形態では、コントローラ１５４は、例えば、無線電力信号１０２を検出すると、無線電力信号１０２に対する増大された負荷を生成するよう負荷変調器１５５を制御してよい。
【００８３】
いくつかの例証的な実施形態では、無線電力信号１０２に対する増大された負荷は、無線電力信号１０２の磁界において変化、例えば、低下を引き起こしてよい。
【００８４】
いくつかの例証的な実施形態では、コントローラ１５４は、ある存続期間に無線電力信号１０２に対する負荷を変調するよう負荷変調器１５５を制御してよい。存続期間は、ＷＰＲ１５２によって要求されている電力の量に基づいてよい。
【００８５】
例えば、コントローラ１５４は、ＷＰＲ１５２のための第１の要求される電力の量を表す第１の存続期間に無線電力信号１０２に対する負荷を変調するよう負荷変調器１５５を制御してよい。コントローラ１５４は、ＷＰＲ１５２のための第２の要求される電力の量を表す第２の存続期間に無線電力信号１０２に対する負荷を変調するよう負荷変調器１５５を制御してよい。例えば、第２の存続期間は、例えば、第２の要求される電力の量が第１の要求される電力の量よりも多い場合に、第１の存続期間よりも長くてよい。
【００８６】
いくつかの例証的な実施形態では、コントローラ１５４は、例えば、以下で記載されるように、時分割変調スキームに従って無線電力信号１０２に対する負荷を変調するよう負荷変調器１５５を制御してよい。
【００８７】
いくつかの例証的な実施形態では、時分割変調スキームは、複数のＷＰＲ、例えば、ＷＰＲ１５２、ＷＰＲ１４５及び／又はＷＰＲ１４９が、重なり合わないように、例えば、異なる時間スロットの間に、無線電力信号１０２に対する負荷を変調することを可能にするよう構成されてよい。
【００８８】
例えば、ＷＰＲ１５２は、第１の時間スロットの間、ＷＰＲ１５２によって要求される第１の電力を表す第１の存続期間に無線電力信号１０２を変調してよく、ＷＰＲ１４５は、第１の時間スロットとは異なる第２の時間スロットの間、ＷＰＲ１４５によって要求される第２の電力を表す第２の存続期間に無線電力信号１０２を変調してよく、且つ／あるいは、ＷＰＲ１４９は、第１及び第２の時間スロットとは異なる第３の時間スロットの間、ＷＰＲ１４９によって要求される第３の電力を表す第３の存続期間に無線電力信号１０２を変調してよい。
【００８９】
いくつかの例証的な実施形態では、ＷＰＲ１５２、１４５及び／又は１４９は、例えば、以下で記載されるように、重なり合わない時間スロットの選択を可能にするよう構成され得るバックオフメカニズムに基づき、時間スロットを選択するよう構成されてよい。他の実施形態では、如何なる他のメカニズムも、利用されてよい。
【００９０】
いくつかの例証的な実施形態では、コントローラ１５４は、遅延期間を選択してよく、そして、無線電力信号１０２の検出と、無線電力信号１０２に対する負荷の変調のための時間スロットの先頭との間で遅延期間だけ待ってよい。
【００９１】
いくつかの例証的な実施形態では、コントローラ１５４は、例えば、以下で記載されるように、所定範囲の遅延期間の中から遅延期間を選択してよい。
【００９２】
いくつかの例証的な実施形態では、コントローラ１５４は、例えば、以下で記載されるように、遅延期間をランダムに選択してよい。
【００９３】
いくつかの例証的な実施形態では、ＷＰＲ１５２によって実行される負荷変調の存続期間は、例えば、ＷＰＲ１５２によって実行される負荷変調の存続期間が、他のＷＰＲによって実行される負荷変調の存続期間と重なり合わないことを確かにするために、一連の遅延期間の中の最短の遅延期間よりも短くてよい。
【００９４】
いくつかの例証的な実施形態では、ＷＰＴ１１２は、例えば、以下で記載されるように、無線電力信号１０２に対する負荷の変化に基づき所定の時間インターバル（“サンプル窓”）内で１つ以上の負荷変調事象を検出してよい。
【００９５】
いくつかの例証的な実施形態では、サンプル窓は、例えば、以下で記載されるように、ＷＰＴ１１２が複数のＷＰＲによって実行される負荷変調を検出することを可能にするよう構成されてよい。
【００９６】
いくつかの例証的な実施形態では、ＷＰＴ１１２は、磁界を発生させることによって、無線電力信号１０２を送信してよい。例えば、コントローラ１１４は、例えば、以下で記載されるように、Ｔｘ共振器１２６がＷＰＴ１１２の充電範囲内で磁界を引き起こし得るように、Ｔｘ共振器１２６へ供給される電力を制御してよい。
【００９７】
いくつかの例証的な実施形態では、ＷＰＴ１１２は、無線電力信号１０２の磁界のレベルの変化、例えば、低下を検出することによって、負荷変調事象を検出してよい。
【００９８】
いくつかの例証的な実施形態では、ＷＰＴ１１２は、例えば、以下で記載されるように、Ｔｘ共振器１２６に対する負荷の変化に基づき変調事象を検出してよい。他の実施形態では、ＷＰＴ１１２は、無線電力信号１０２の負荷の変化により生じる何らかの他の効果を検出することによって、負荷変調事象を検出してよい。
【００９９】
いくつかの例証的な実施形態では、ＷＰＴ１１２は、Ｔｘ共振器１２６に対する負荷の変化を検出する検出器１１８を有してよい。
【０１００】
いくつかの例証的な実施形態では、検出器１１８は、Ｔｘ共振器１２６における電圧及び／又はＴｘ共振器１２６を流れる電流を検出するよう構成されてよい。例えば、コントローラ１１４は、Ｔｘ共振器１２６における電圧の低下及び／又はＴｘ共振器１２６を流れる電流の増大に基づき負荷変調事象を検出してよい。
【０１０１】
いくつかの例証的な実施形態では、検出器１１８は、無線電力信号１０２の送信の間に電力増幅器１２２における電流フローの変化を検出するよう構成されてよい。
【０１０２】
いくつかの例証的な実施形態では、検出器１１８は、電力増幅器１２２における電流フローの１つ以上のピークを検出するよう構成されるピーク検出器を含んでよい。
【０１０３】
いくつかの例証的な実施形態では、コントローラ１１４は、検出器１１８によって検出される１つ以上のピークに基づき負荷変調事象を検出してよい。
【０１０４】
いくつかの例証的な実施形態では、検出器１１８は、ＷＰＴ１１２に対する誘導負荷を検出する如何なる他の検出器も含んでよい。例えば、検出器１１８は、無線電力信号１０２の送信の間にＴｘ共振器１２６にかかる電圧の変化及び／又は反射電力を測定するよう構成されてよい。他の実施形態では、如何なる他の検出技術も、ＷＰＴ１１２に対する誘導負荷を検出するために利用されてよい。
【０１０５】
いくつかの例証的な実施形態では、コントローラ１１４は、例えば、サンプル窓内の負荷変調事象の数を数えることによって、ＷＰＴ１１２の充電範囲内のＷＰＲの数を決定してよい。
【０１０６】
例えば、ＷＰＴ１１２の充電範囲内のＷＰＲの数は、例えば、夫々のＷＰＲがサンプル窓ごとに１つの負荷変調を発生させ得る場合に、サンプル窓内の負荷変調事象の数に等しくなり得る。
【０１０７】
いくつかの例証的な実施形態では、ＷＰＴ１１２は、例えば、以下で記載されるように、負荷変調事象に基づき、複数の検出されたＷＰＲ、例えば、ＷＰＲ１５２、１４５及び／又は１４９へ供給される電力の量を決定してよい。
【０１０８】
いくつかの例証的な実施形態では、コントローラ１１４は、例えば、以下で記載されるように、検出された負荷変調事象の数と、検出された負荷変調事象の存続期間とに基づき、ＷＰＲ１５２、１４５及び／又は１４９へ供給される電力の量を決定してよい。
【０１０９】
いくつかの例証的な実施形態では、コントローラ１１４は、例えば、検出された負荷変調事象の存続期間の和に基づき、ＷＰＲ１５２、１４５及び／又は１４９へ供給される電力の量を決定してよい。
【０１１０】
例えば、コントローラ１１４、ＷＰＲ１５２によって生成される第１の負荷変調事象の第１の存続期間と、ＷＰＲ１４５によって生成される第２の負荷変調事象の第２の存続期間と、ＷＰＲ１４９によって生成される第３の負荷変調事象の第３の存続期間とを合計することによって、ＷＰＲ１５２、１４５及び１４９へ供給される電力の総量を決定してよい。
【０１１１】
いくつかの例証的な実施形態では、コントローラ１１４は、複数のＷＰＲへ供給される決定された電力の量に基づき、無線電力信号１０２を動的に調整するようＷＰＴ１１２を制御してよい。例えば、コントローラ１１４は、例えば、決定された電力の総量の増大に応答して、無線電力信号１０２の電力の増大させるよう、あるいは、例えば、決定された電力の総量の減少に応答して、無線電力信号１０２の電力を低減させるよう、ＷＰＴ１１２を制御してよい。
【０１１２】
いくつかの例証的な実施形態では、コントローラ１１４は、ＷＰＴ１１２の充電範囲内の少なくとも１つの非ＷＰＲオブジェクトの存在を決定してよい。
【０１１３】
例えば、ＷＰＴ１１２によって決定される、決定された電力の総量は、複数のＷＰＲの実際の電力要求を示してよい。然るに、ＷＰＴ１１２によって決定される、決定された電力の総量と、無線電力信号１０２によって供給される実際の電力との間の差は、ＷＰＴ１１２の充電範囲内の１つ以上の非ＷＰＲオブジェクトの存在を示してよい。
【０１１４】
いくつかの例証的な実施形態では、コントローラ１１４は、例えば、負荷変調事象に基づき決定される、決定された電力の総量が、無線電力信号１０２によって供給される実際の電力よりも少ない場合に、少なくとも１つの非ＷＰＲオブジェクトの存在を決定してよい。
【０１１５】
いくつかの例証的な実施形態では、コントローラ１１４は、例えば、複数のＷＰＲへ供給される決定された電力の量が、無線電力信号１０２によって供給される実際の電力よりも少ない場合に、無線電力信号１０２を送信するのを停止するようＷＰＴ１１２を制御してよい。
【０１１６】
いくつかの例証的な実施形態では、コントローラ１１４は、例えば、以下で記載されるように、複数の連続したサンプル窓の間に負荷変調事象を繰り返し検出してよい。
【０１１７】
いくつかの例証的な実施形態では、負荷変調のためにＷＰＲによって使用される時間スロット及び／又はサンプル窓の存続期間は、例えば、以下で記載されるように、ＷＰＴ１１２が、夫々のサンプル窓の間にＷＰＲの夫々に対応する１つよりも多い負荷変調事象を検出しないことを可能にするよう構成されてよい。
【０１１８】
いくつかの例証的な実施形態では、コントローラ１１４は、サンプル窓の間に検出された負荷変調事象に基づき、複数のＷＰＲによって要求されている電力の総量を決定してよい。コントローラ１１４は、複数のＷＰＲによって要求されている決定された電力の総量に基づき、無線電力信号１０２の電力を調整するようＷＰＴ１１２を制御してよい。
【０１１９】
いくつかの例証的な実施形態では、コントローラ１１４は、連続したサンプル窓の間に検出された負荷変調事象に基づき、複数のＷＰＲによって要求されている電力の更新された総量を決定してよい。コントローラ１１４は、複数のＷＰＲによって要求されている電力の更新された総量に基づき、無線電力信号１０２の電力を調整するようＷＰＴ１１２を制御してよい。
【０１２０】
いくつかの例証的な実施形態では、コントローラ１１４は、更なるサンプル窓の間に検出された負荷変調事象に基づき、複数のＷＰＲによって要求されている電力の更新された総量を決定することを繰り返してよい。然るに、コントローラ１１４は、更なるサンプル窓の間に無線電力信号１０２の電力を動的に調整するようＷＰＴ１１２を制御してよい。
【０１２１】
図２が参照される。図２は、いくつかの例証的な実施形態に従う、単一のＷＰＲによる負荷変調を受けるＷＰＴの無線電力信号の磁界を概略的に表す。
【０１２２】
例えば、図２の無線電力信号の磁界は、ＷＰＲ１５２（図１）による負荷変調を受けるＷＰＴ１１２（図１）によって生成された無線電力信号１０２（図１）の磁界を含んでよい。この例に従って、コントローラ１５４は、例えば、デバイス１５０（図１）によって要求されている電力を示すように、変調負荷を無線電力信号１０２（図１）に適用するよう負荷変調器１５５（図１）を制御してよい。
【０１２３】
いくつかの例証的な実施形態では、検出器１１８（図１）は、例えば、図２に示されるように、無線電力信号１０２（図１）の磁気レベルの変化を検出してよい。
【０１２４】
図２に示されるように、単一の負荷変調事象２０４は、第１のＷＰＴサンプル窓２０２の間に検出されてよく、単一の負荷変調事象２１２は、例えば、ＷＰＴサンプル窓２０２に続く、第２のＷＰＴサンプル窓２１０の間に検出されてよい。
【０１２５】
図２に示されるように、変調事象２０４及び２１２は、無線電力信号１０２（図１）の磁界の変化、例えば低下の現れを検出することによって、検出されてよい。
【０１２６】
図２に示されるように、変調事象２０４は、５０マイクロ秒（μｓ）の存続期間を有してよく、変調事象２１２は、１５０μｓの存続期間を有してよい。
【０１２７】
いくつかの例証的な実施形態では、コントローラ１１４（図１）は、例えば、単一の負荷変調事象のみがサンプル窓２０２及び２１０の夫々において検出されるので、サンプル窓２０２及び２１０の間にＷＰＴ１１２（図１）の充電範囲内には単一のＷＰＲが存在すると決定してよい。
【０１２８】
いくつかの例証的な実施形態では、コントローラ１１４（図１）は、例えば、負荷変調事象２０４の存続期間に基づき、サンプル窓２０２の間にＷＰＲ１５２（図１）によって要求されている第１の電力レベルを決定し、且つ、例えば、負荷変調事象２１２の存続期間に基づき、サンプル窓２１０の間にＷＰＲ１５２（図１）によって要求されている第２の電力レベルを決定してよい。
【０１２９】
いくつかの例証的な実施形態では、負荷変調事象の存続期間と、負荷変調事象によって示される要求されている電力との間には、関係が定義されてよい。
【０１３０】
一例において、線形な関係が、負荷変調事象の存続期間と、負荷変調事象によって示される必要とされている電力との間に定義されてよい。
【０１３１】
例えば、負荷変調事象によって示される必要とされている電力は、負荷変調事象の存続期間の倍数であってよい。この例に従って、第２の電力レベルは、例えば、負荷変調事象２１２が負荷変調事象２０４よりも３倍長いので、第１の電力レベルの３倍であってよい。
【０１３２】
他の実施形態では、如何なる他の線形又は非線型な関係も、負荷変調事象の存続期間と、負荷変調事象によって示される要求されている電力との間に定義されてよい。
【０１３３】
図３が参照される。図３は、いくつかの例証的な実施形態に従う、３つのＷＰＲによる負荷変調を受けるＷＰＴの無線電力信号の磁界を概略的に表す。
【０１３４】
例えば、図３の無線電力信号の磁界は、ＷＰＲ１５２（図１）、ＷＰＲ１４５（図１）及びＷＰＲ１４９（図１）による負荷変調を受けるＷＰＴ１１２（図１）によって生成された無線電力信号１０２（図１）の磁界を含んでよい。この例に従って、ＷＰＲ１５２、１４５及び１４９（図１）は、例えば、ＷＰＲ１５２、１４５及び１４９（図１）によって要求されている電力を示すように、例えば、異なる時間スロットの間に、変調負荷を無線電力信号１０２（図１）に適用してよい。
【０１３５】
いくつかの例証的な実施形態では、検出器１１８（図１）は、例えば、図３に示されるように、無線電力信号１０２（図１）の磁気レベルの変化を検出してよい。
【０１３６】
図３に示されるように、ＷＰＴ１１２（図１）は、第１のＷＰＴサンプル窓３０２の間に、第１の負荷変調事象３０４、第２の負荷変調事象３０６及び第３の負荷変調事象３０８を検出してよい。
【０１３７】
図３に示されるように、ＷＰＴ１１２（図１）は、例えば、サンプル窓３０２に続く、第２のＷＰＴサンプル窓３１０の間に、第１の負荷変調事象３１２、第２の負荷変調事象３１４及び第３の負荷変調事象３１６を検出してよい。
【０１３８】
図３に示されるように、変調事象３０４、３０６、３０８、３１２、３１４及び３１６は、無線電力信号１０２（図１）の磁界の変化、例えば低下の現れを検出することによって、検出されてよい。
【０１３９】
図３に示されるように、変調事象３０４は、５０μｓの存続期間を有してよく、変調事象３０６は、１５０μｓの存続期間を有してよく、変調事象３０８は、５０μｓの存続期間を有してよい。
【０１４０】
いくつかの例証的な実施形態では、コントローラ１１４（図１）は、例えば、３つの負荷変調事象がサンプル窓３０２において検出されるので、サンプル窓３０２の間のＷＰＴ１１２（図１）の充電範囲内の３つのＷＰＲの存在を決定してよい。
【０１４１】
いくつかの例証的な実施形態では、コントローラ１１４（図１）は、例えば、負荷変調事象３０４、３０６及び３０８の存続期間に基づき、サンプル窓３０２の間にＷＰＲ１５２、１４５及び１４９（図１）によって要求されているトータルの電力レベルを決定してよい。
【０１４２】
例えば、コントローラ１１４（図１）は、負荷変調事象３０４、３０６及び３０８の存続期間の和に基づき、サンプル窓３０２の間にＷＰＲ１５２、１４５及び１４９（図１）によって要求されているトータルの電力レベルを決定してよい。
【０１４３】
図３に示されるように、変調事象３１２は、５０μｓの存続期間を有してよく、変調事象３１４は、１５０μｓの存続期間を有してよく、変調事象３１６は、５０μｓの存続期間を有してよい。
【０１４４】
いくつかの例証的な実施形態では、コントローラ１１４（図１）は、例えば、３つの負荷変調事象がサンプル窓３１０において検出されるので、サンプル窓３１０の間のＷＰＴ１１２（図１）の充電範囲内の３つのＷＰＲの存在を決定してよい。
【０１４５】
いくつかの例証的な実施形態では、コントローラ１１４（図１）は、例えば、負荷変調事象３１２、３１４及び３１６の存続期間に基づき、サンプル窓３１０の間にＷＰＲ１５２、１４５及び１４９（図１）によって要求されているトータルの電力レベルを決定してよい。
【０１４６】
例えば、コントローラ１１４（図１）は、負荷変調事象３１２、３１４及び３１６の存続期間の和に基づき、サンプル窓３１０の間にＷＰＲ１５２、１４５及び１４９（図１）によって要求されているトータルの電力レベルを決定してよい。
【０１４７】
例えば、コントローラ１１４（図１）は、例えば、負荷変調事象３１２、３１４及び３１６の存続期間が、負荷変調事象３０４、３０６及び３０８の存続期間と夫々同じであることから、ＷＰＲ１５２、１４５及び１４９（図１）によって要求されているトータルの電力レベルが、サンプル窓３０２と３１０との間で不変であると決定してよい。
【０１４８】
いくつかの例証的な実施形態では、コントローラ１１４（図１）は、例えば、決定されたトータルの電力レベルが不変である一方で、例えば、無線電力信号１０２（図１）の実際の電力レベルがサンプル窓３０２と３１０との間で増大する場合には、ＷＰＴ１１２（図１）の充電範囲における非ＷＰＲオブジェクトの存在を決定してよい。
【０１４９】
再び図１を参照して、以下は、いくつかの例証的な実施形態に従う、例証的な時分割変調スキームに従ってＷＰＴ１１２及びＷＰＲ１５２によって実行される動作の記載である。他の実施形態では、如何なる他の負荷変調スキームも、使用されてよい。
【０１５０】
いくつかの例証的な実施形態では、ＷＰＴ１１２は、磁界を発生させてよい。例えば、コントローラ１１４（図１）は、例えば、上述されたように、ＷＰＴ１１２の充電範囲内のＷＰＲの１つ以上のＷＰＲが信号１０２を受信することができるほど十分な電力レベルで信号１０２を送信するようＴｘ共振器１２６を制御してよい。
【０１５１】
いくつかの例証的な実施形態では、ＷＰＴ１１２は、サンプル窓の間に信号１０２に対する１つ以上の負荷変調事象を検出するよう継続的に試みてよい。例えば、コントローラ１１４は、例えば、上述されたように、信号１０２に対する負荷の変化を検出することによって、サンプル窓の間に負荷変調事象を検出するよう試みてよい。
【０１５２】
いくつかの例証的な実施形態では、ＷＰＲ、例えば、ＷＰＲ１５２は、ＷＰＴ１１２の充電範囲内で移動してよく、信号１０２を検出してよい。例えば、コントローラ１５４は、例えば、信号１０２の磁界に応答してＲｘ共振器１６６を流れる電流を検出してよい。
【０１５３】
いくつかの例証的な実施形態では、コントローラ１５４は、遅延値の所定範囲内の数をランダムに選択してよい。例えば、コントローラ１５４は、０から９９の間にある整数の範囲、又は何らかの他の範囲内の数をランダムに選択してよい。
【０１５４】
いくつかの例証的な実施形態では、コントローラ１５４は、選択された遅延値に基づき、信号１０２に対する負荷変調を開始するまでの遅延時間を算出してよい。
【０１５５】
一例において、コントローラ１５４は、次のように、t_delayと表される遅延時間を算出してよい：
t_delay=(RND0_99*WPT_Sample_Window)/100          （１）
上記の式で、RND0_99は、０から９９の間でランダムに選択された整数を表し、WPT_Sample_Windowは、ＷＰＴ１１２のサンプル窓の存続期間（例えば、単位マイクロ秒（μｓ））を表す。
【０１５６】
他の実施形態では、遅延時間は、如何なる他の関数及び／又は計算に従っても決定されてよい。
【０１５７】
いくつかの例証的な実施形態では、コントローラ１５４は、例えば、信号１０２の検出と、信号１０２に対する負荷変調の開始との間で、決定された遅延時間t_delayだけ待機してよい。
【０１５８】
いくつかの例証的な実施形態では、ランダムに選択された値RND0_99に基づき遅延時間t_delayを決定することは、例えば、２つのＷＰＲが、重なり合った時間スロットの間に、負荷変調を信号１０２に適用する可能性を小さくするように、複数のＷＰＲがランダムな様態で負荷変調をバックオフすることを可能にしてよい。
【０１５９】
いくつかの例証的な実施形態では、コントローラ１５４は、例えば、上述されたように、ＷＰＲ１５２によって要求される電力に基づき、信号１０２に適用される負荷変調事象の存続期間を決定してよい。
【０１６０】
いくつかの例証的な実施形態では、負荷変調事象の存続期間は、例えば、負荷変調事象が他の時間スロットと重なり合わないことを確かにするために、遅延時間t_delayの最も短い存続期間よりも短くてよい。
【０１６１】
他の例では、tldmod_widthと表される、負荷変調事象の存続期間は、次の基準に従うよう設定されてよい：
tldmod_width<(WPT_Sample_Window)/100          （２）
【０１６２】
一例において、負荷変調事象の存続期間は、例えば、次のように、決定されてよい：
tldmod_width=[(WPT_Sample_Window)/100]*(1+i)        （３）
なお：
i=integer[(Receiver_Power)/10]          （４）
このとき、Receiver_Powerは、ＷＰＴ１１２から受け取られる、ＷＰＲ１５２によって要求されている電力（例えば、単位ワット（Ｗ））を表す。
【０１６３】
いくつかの例証的な実施形態では、サンプル窓は、WPT_Sample_Window=250msの存続期間を有してよい。然るに、存続期間tldmod_widthは、２５μsから約５００μｓの間であってよい。
【０１６４】
他の実施形態では、負荷変調事象の存続期間は、如何なる他の計算及び／又は基準に従っても決定されてよい。
【０１６５】
いくつかの例証的な実施形態では、コントローラ１５４は、例えば、上述されたように、決定された存続期間tldmod_widthに従って信号１０２を変調するよう負荷変調器１５５を制御してよい。
【０１６６】
いくつかの例証的な実施形態では、コントローラ１５４は、単一の負荷変調事象がサンプル窓ごとにＷＰＲ１５２によって生成されることを確かにするよう設定され得るインターバルで信号１０２に対する負荷変調を繰り返すよう負荷変調器１５５を制御してよい。
【０１６７】
一例において、コントローラ１５４は、例えば、次のように決定され得る、ｔと表される一連の時点に、信号１０２に対する負荷変調を繰り返すよう負荷変調器１５５を制御してよい：
t=t_delay+i*WPT_Sample_Window          （５）
なお、i=1,2,3,4…。
【０１６８】
いくつかの例証的な実施形態では、ＷＰＴ１１２は、例えば、上述されたように、ＷＰＴ１１２の充電範囲内のＷＰＲの数を特定するよう、サンプル窓の間に検出される負荷変調事象の数をモニタしてよい。
【０１６９】
いくつかの例証的な実施形態では、コントローラ１１４は、例えば、上述されたように、検出された負荷変調事象に基づき、要求されている電力の総量を決定してよい。
【０１７０】
いくつかの例証的な実施形態では、コントローラ１１４は、時分割変調スキームがリセットされるべきことを、ＷＰＴ１１２の充電範囲内のＷＰＲに示してよい。
【０１７１】
例えば、コントローラ１１４は、少なくとも一対のＷＰＲが、重なり合った時間スロットの間に負荷変調を実行していると、決定してよい。
【０１７２】
いくつかの例証的な実施形態では、コントローラ１１４は、例えば、信号１０２への電力をオフ及びオンすることによって、信号１０２によって生成される磁界をリセットしてよい。結果として、コントローラ１５４は、遅延t_delayを選択し直すようトリガされてよい。
【０１７３】
いくつかの例証的な実施形態では、コントローラ１１４は、例えば、無線電力信号１０２によって実際に消費される電力の量が、ＷＰＲによって要求されている電力の決定された総量よりも大きい場合に、ＷＰＴ１１２の充電範囲内の非ＷＰＲの存在を検出してよい。
【０１７４】
いくつかの例証的な実施形態では、コントローラ１１４は、例えば、非ＷＰＲオブジェクトの存在を検出すると、例えば、信号１０２を送信するのを停止することによって、電力伝送を止めるようＷＰＴ１１２を制御してよい。
【０１７５】
図４が参照される。図４は、いくつかの例証的な実施形態に従う、ＷＰＲによって生成される負荷変調事象を概略的に表す。例えば、ＷＰＲ１５２（図１）は、図４の負荷変調事象を生成してよい。
【０１７６】
図４に示されるように、ＷＰＲ１５２（図１）は、t0と表される時点で、無線電力信号１０２（図１）を検出してよい。
【０１７７】
図４に示されるように、ＷＰＲ１５２（図１）は、例えば、式１に従って遅延時間t_delayを決定してよく、そして、ＷＰＲ１５２（図１）は、例えば、上述されたように、信号１０２（図１）に対する負荷変調４０２を開始する前に、例えば、時間t0から、遅延時間t_dalay４０１だけ待機してよい。
【０１７８】
図４に示されるように、ＷＰＲ１５２（図１）は、ＷＰＲ１５２（図１）の必要とされている電力に基づく存続期間４０５に無線電力信号１０２（図１）の負荷を変調してよい。例えば、ＷＰＲ１５２（図１）は、例えば、式３に従って、存続期間tldmod_widthの間、無線電力信号１０２の負荷を変調してよい。
【０１７９】
図４に示されるように、ＷＰＲ１５２（図１）は、例えば、上述されたように、更なる負荷変調４０４を無線電力信号１０２（図１）に適用する前に、例えば、負荷変調４０２の開始から測定されるWPT_Sample_Windowのインターバル４０３の間待機してよい。
【０１８０】
図４に示されるように、無線電力信号１０２（図１）は、例えば、ＷＰＲ１５２のための必要とされている電力が変化、例えば、増大する場合に、例えば、式３に従って、異なった、例えば、より長い存続期間４０７の間、無線電力信号１０２（図１）を変調してよい。
【０１８１】
図５が参照される。図５は、いくつかの例証的な実施形態に従う、負荷変調事象を生成する方法を概略的に表す。例えば、図５の方法の動作のうちの１つ以上は、デバイス、例えば、デバイス１５０、１４３及び／又は１４７（図１）、ＷＰＲ、例えば、ＷＰＲ１５２、１４５及び／又は１４９（図１）、及び／又はコントローラ、例えば、コントローラ１５４（図１）によって実行されてよい。
【０１８２】
ブロック５００に示されるように、方法は、ＷＰＴの磁界を検知することを有してよい。例えば、コントローラ１５４（図１）は、例えば、上述されたように、ＷＰＴ１１２（図１）によって生成された磁界を検出してよい。
【０１８３】
ブロック５０２に示されるように、方法は、０から９９の間の整数の範囲内の数をランダムに選択することを有してよい。例えば、コントローラ１５４（図１）は、例えば、上述されたように、値RND0_99をランダムに選択してよい。
【０１８４】
ブロック５０４に示されるように、方法は、待機する遅延時間を決定することを有してよい。例えば、コントローラ１５４（図１）は、例えば、上述されたように、例えば、式１に従って、遅延時間t_delayを決定してよい。
【０１８５】
ブロック５０６に示されるように、方法は、ＷＰＲから要求されている電力に基づきある存続期間に負荷変調事象を生成することを有してよい。例えば、コントローラ１５４（図１）は、例えば、上述されたように、存続期間tldmod_widthの間負荷を信号１０２（図１）に適用するよう負荷変調器１５５（図１）を制御してよい。
【０１８６】
ブロック５０８に示されるように、方法は、負荷変調を繰り返す前に、ある時間インターバル待機することを有してよい。例えば、コントローラ１５４（図１）は、例えば、上述されたように、時点ｔで負荷を信号１０２（図１）に繰り返し適用するよう負荷変調器１５５（図１）を制御してよい。
【０１８７】
図６が参照される。図６は、いくつかの例証的な実施形態に従う、無線電力伝送を制御する方法を概略的に表す。例えば、図６の方法の動作のうちの１つ以上は、デバイス、例えば、デバイス１１０（図１）、ＷＰＴ、例えば、ＷＰＴ１１２（図１）、及び／又はコントローラ、例えば、コントローラ１１４（図１）によって実行されてよい。
【０１８８】
ブロック６０２に示されるように、方法は、複数のＷＰＲによって受信される無線電力信号を送信することを有してよい。例えば、コントローラ１１４（図１）は、例えば、上述されたように、無線電力信号１０２（図１）を送信するようＷＰＴ１１２（図１）を制御してよい。
【０１８９】
ブロック６０４に示されるように、方法は、無線電力信号に対する負荷の変化に基づき所定の時間インターバル内で１つ以上の負荷変調事象を検出することを有してよい。例えば、コントローラ１１４（図１）は、例えば、上述されたように、無線電力信号１０２（図１）に対する負荷の変化に基づき、ＷＰＲ１５２、１４５及び／又は１４９（図１）によって生成される負荷変調事象を検出してよい。
【０１９０】
ブロック６０６に示されるように、方法は、負荷変調事象に基づき、複数のＷＰＲへ供給される電力の量を決定することを有してよい。例えば、コントローラ１１４（図１）は、例えば、上述されたように、ＷＰＲ１５２、１４５及び／又は１４９（図１）によって生成される負荷変調事象の存続期間の和に基づき、ＷＰＲ１５２、１４５及び／又は１４９（図１）へ供給される全電力を決定してよい。
【０１９１】
矢印６０８によって示されるように、方法は、例えば、１つ以上の更なる時間インターバルの間に複数のＷＰＲへ供給される電力の量を決定するように、ブロック６０４及び６０６の動作を繰り返すことを有してよい。
【０１９２】
図７が参照される。図７は、いくつかの例証的な実施形態に従う製品７００を概略的に表す。製品７００は、例えば、デバイス１１０（図１）、デバイス１５０（図１）、デバイス１４３（図１）、デバイス１４７（図１）、ＷＰＴ１１２（図１）、コントローラ１１４（図１）、ＷＰＲ１５２（図１）、ＷＰＲ１４５（図１）、ＷＰＲ１４９（図１）、コントローラ１５４（図１）の機能性の少なくとも一部を実行するために、且つ／あるいは、図５及び／又は６の方法の１つ以上の動作を実行するために使用され得るロジック７０４を記憶する非一時的なマシン読出可能な記憶媒体７０２を有してよい。“非一時的なマシン読出可能な媒体（non-transitory  machine-readable  medium）”との語句は、一時的な伝播信号を唯一の例外として、全てのコンピュータ可読媒体を含むよう意図される。
【０１９３】
いくつかの例証的な実施形態では、製品７００及び／又はマシン読出可能な記憶媒体７０２は、揮発性メモリ、不揮発性メモリ、リムーバブル又は非リムーバブルメモリ、消去可能又は消去不可能メモリ、書き込み可能又は書き換え可能メモリ、及び同様のものを含む、データを記憶することができる１つ以上のタイプのコンピュータ可読記憶媒体を含んでよい。例えば、マシン読出可能な記憶媒体７０２は、ＲＡＭ、ＤＲＡＭ、ダブルデータレート（Double-Data-Rate）ＤＲＡＭ（ＤＤＲ−ＤＲＡＭ）、ＳＤＲＡＭ、静的（static）ＲＡＭ（ＳＲＡＭ）、ＲＯＭ、プログラム可能（programmable）ＲＯＭ（ＰＲＯＭ）、消去可能な（erasable）プログラム可能ＲＯＭ（ＥＰＲＯＭ）、電気的（electrically）消去可能なプログラム可能ＲＯＭ（ＥＥＰＲＯＭ）、コンパクトディスクＲＯＭ（ＣＤ−ＲＯＭ）、コンパクトディスク・リコーダブル（ＣＤ−Ｒ）、コンパクトディスク・リライタブル（ＣＤ−ＲＷ）、フラッシュメモリ（例えば、ＮＯＲ又はＮＡＮＤフラッシュメモリ）、連想メモリ（ＣＡＭ；content  addressable  memory）、ポリマーメモリ、相変化メモリ、強誘電体メモリ、シリコン・酸化物・窒化物・酸化物・シリコン（ＳＯＮＯＳ；silicon-oxide-nitride-oxide-silicon）メモリ、ディスク、フロッピー（登録商標）ディスク、ハードドライブ、光ディスク、磁気ディスク、カード、磁気カード、光学式カード、テープ、カセット、及び同様のものを含んでよい。コンピュータ可読記憶媒体は、搬送波又は他の伝播媒体において具現されるデータ信号によって通信リンク、例えば、モデム、ラジオ又はネットワーク接続を介して運ばれる、遠隔のコンピュータから要求元のコンピュータへのコンピュータプログラムをダウンロード又は伝送することに関与する如何なる適切な媒体を含んでもよい。
【０１９４】
いくつかの例証的な実施形態では、ロジック７０４は、マシンによって実行される場合に、マシンに、ここで記載される方法、プロセス及び／又は動作を実行させる命令、データ及び／又はコードを含んでよい。マシンは、例えば、如何なる適切なプロセッシングプラットフォーム、コンピューティングプラットフォーム、コンピューティングデバイス、プロセッシングデバイス、コンピューティングシステム、プロセッシングシステム、コンピュータ、プロセッサ、又は同様のものも含んでよく、ハードウェア、ソフトウェア、ファームウェア、及び同様のものの如何なる適切な組み合わせも用いて実装されてよい。
【０１９５】
いくつかの例証的な実施形態では、ロジック７０４は、ソフトウェア、ソフトウェアモジュール、アプリケーション、プログラム、サブルーチン、命令、命令セット、コンピューティングコード、ワード、値、シンボル、及び同様のものを含んでよく、あるいは、そのようなものとして実装されてよい。命令は、例えば、ソースコード、コンパイル済みのコード、インタプリット済みのコード、実行可能コード、静的コード、動的コード、及び同様のもののような、如何なる適切なタイプのコードも含んでよい。命令は、プロセッサに特定の関数を実行するよう命じるための所定のコンピュータ言語、様式又はシンタックスに従って実装されてよい。命令は、例えば、Ｃ、Ｃ＋＋、Ｊａｖａ（登録商標）、ＢＡＳＩＣ、Ｍａｔｌａｂ、Ｐａｓｃａｌ、Ｖｉｓｕａｌ  ＢＡＳＩＣ、アセンブリ言語、マシンコード、及び同様のもののような、如何なる適切なハイレベル、ローレベル、オブジェクト指向、ビジュアル、コンパイル済み及び／又はインタプリット済みのプログラミング言語も用いて実装されてよい。
［例］
【０１９６】
以下の例は、更なる実施形態に関する。
【０１９７】
例１は、無線電力伝送の装置であって、複数の無線電力受信器（ＷＰＲ）によって受信される無線電力信号を送信する無線電力送信器（ＷＰＴ）を有し、前記ＷＰＴは、前記無線電力信号に対する負荷の変化に基づき所定の時間インターバル内で１つ以上の負荷変調事象を検出し、該負荷変調事象に基づき前記複数の無線電力受信器へ供給される電力の量を決定する、装置を含む。
【０１９８】
例２は、例１で記載される事項を含み、任意で、前記ＷＰＴは、前記負荷変調事象の数及び前記負荷変調事象の存続期間に基づき前記複数のＷＰＲへ供給される前記電力の量を決定する。
【０１９９】
例３は、例２に記載される事項を含み、任意で、前記ＷＰＴは、前記負荷変調事象の前記存続期間の和に基づき前記複数のＷＰＲへ供給される前記電力の量を決定する。
【０２００】
例４は、例１乃至３のうちいずれか１つに記載される事項を含み、任意で、前記ＷＰＴは、前記複数のＷＰＲへ供給される前記決定された電力の量に基づき前記無線電力信号の電力を調整する。
【０２０１】
例５は、例１乃至４のうちいずれか１つに記載される事項を含み、任意で、前記ＷＰＴは、前記複数のＷＰＲへ供給される前記決定された電力の量が前記無線電力信号によって伝送される実際の電力よりも小さい場合に、前記無線電力信号を送信するのを停止する。
【０２０２】
例６は、例１乃至５のうちいずれか１つに記載される事項を含み、任意で、前記ＷＰＴは、複数の連続した時間インターバルの間に前記負荷変調事象を繰り返し検出する。
【０２０３】
例７は、例６に記載される事項を含み、任意で、前記ＷＰＴは、夫々の時間インターバルの間に前記複数のＷＰＲの夫々に対応する１つよりも多い負荷変調事象を検出しない。
【０２０４】
例８は、例１乃至７のうちいずれか１つに記載される事項を含み、任意で、前記ＷＰＴは、磁界を発生させることで前記無線電力信号を送信し、負荷変調事象は、前記磁界のレベルの低下を有する。
【０２０５】
例９は、例１乃至８のうちいずれか１つに記載される事項を含み、任意で、前記ＷＰＴは、前記無線電力信号を生成する送信（Ｔｘ）共振器と、該Ｔｘ共振器に対する負荷の変化に基づき前記負荷変調事象を検出する検出器とを有する。
【０２０６】
例１０は、例９に記載される事項を含み、任意で、前記検出器は、前記Ｔｘ共振器における電圧の低下と、前記Ｔｘ共振器を流れる電流の増大とを有するグループから選択される少なくとも１つのパラメータに基づき、前記負荷変調事象を検出する。
【０２０７】
例１１は、無線電力伝送の装置であって、無線電力送信器（ＷＰＴ）から無線電力信号を受信する無線電力受信器（ＷＰＲ）を有し、前記ＷＰＲは、要求される電力の量に基づきある存続期間に前記無線電力信号に対する負荷を変調し、所定の時間インターバルで前記無線電力信号に対する前記負荷の変調を繰り返す、装置を含む。
【０２０８】
例１２は、例１１に記載される事項を含み、任意で、前記ＷＰＲは、第１の要求される電力の量を表す第１の存続期間に前記無線電力信号に対する前記負荷を変調し、第２の要求される電力の量を表す第２の存続期間に前記無線電力信号に対する前記負荷を変調し、前記第２の存続期間は、前記第１の存続期間よりも長く、前記第２の要求される電力の量は、前記第１の要求される電力の量よりも多い。
【０２０９】
例１３は、例１１又は１２に記載される事項を含み、任意で、前記ＷＰＲは、遅延期間を選択し、前記無線電力信号の検出と前記無線電力信号に対する前記負荷の変調との間で前記遅延期間待つ。
【０２１０】
例１４は、例１３に記載される事項を含み、任意で、前記ＷＰＲは、所定範囲の遅延期間の中から前記遅延期間を選択し、前記存続期間は、前記所定範囲の遅延期間の中の最短の遅延期間よりも短い。
【０２１１】
例１５は、例１３又は１４に記載される事項を含み、任意で、前記ＷＰＲは、前記遅延期間をランダムに選択する。
【０２１２】
例１６は、例１３乃至１５のうちいずれか１つに記載される事項を含み、任意で、前記ＷＰＲは、前記無線電力信号のリセットを検出すると、前記遅延期間の前記選択を繰り返す。
【０２１３】
例１７は、例１１乃至１６のうちいずれか１つに記載される事項を含み、任意で、前記ＷＰＲは、前記無線電力信号の磁界の低下を引き起こすことによって、前記無線電力信号に対する前記負荷を変調する。
【０２１４】
例１８は、無線電力伝送の装置であって、無線電力送信器（ＷＰＴ）から無線電力受信器（ＷＰＲ）へ無線電力信号を介して供給される要求されている電力の量のインジケーションを前記ＷＰＲと前記ＷＰＴとの間で通信する無線電力コントローラを有し、前記インジケーションは、所定の時間インターバル内で負荷変調事象の形をとり、該負荷変調事象は、前記無線電力信号の磁界のレベルの変化を有し、前記負荷変調事象の存続期間は、前記ＷＰＴから前記ＷＰＲへ供給される前記要求されている電力の量に基づく、装置を含む。
【０２１５】
例１９は、例１８に記載される事項を含み、任意で、前記無線電力コントローラは、第１の要求されている電力の量を表す第１の存続期間を有する第１の変調事象を前記ＷＰＲと前記ＷＰＴとの間で通信し、第２の要求されている電力の量を表す第２の存続期間を有する第２の変調事象を前記ＷＰＲと前記ＷＰＴとの間で通信し、前記第２の存続期間は、前記第１の存続期間よりも長く、前記第２の要求されている電力の量は、前記第１の要求されている電力の量よりも多い。
【０２１６】
例２０は、例１８又は１９に記載される事項を含み、任意で、当該装置は、前記ＷＰＴを有し、前記無線電力コントローラは、前記ＷＰＴを制御して、前記ＷＰＲを含む複数のＷＰＲによって受信される前記無線電力信号を送信し、前記所定の時間インターバル内で１つ以上の負荷変調事象を検出し、該負荷変調事象に基づき前記複数のＷＰＲへ供給される電力の量を決定する。
【０２１７】
例２１は、例２０に記載される事項を含み、任意で、前記無線電力コントローラは、前記負荷変調事象の数及び前記負荷変調事象の存続期間に基づき前記複数のＷＰＲへ供給される前記電力の量を決定する。
【０２１８】
例２２は、例２１に記載される事項を含み、任意で、前記無線電力コントローラは、前記負荷変調事象の前記存続期間の和に基づき前記複数のＷＰＲへ供給される前記電力の量を決定する。
【０２１９】
例２３は、例２０乃至２２のいずれか１つに記載される事項を含み、任意で、前記無線電力コントローラは、前記複数のＷＰＲへ供給される前記決定された電力の量に基づき前記無線電力信号の電力を調整する。
【０２２０】
例２４は、例２０乃至２３のうちいずれか１つに記載される事項を含み、任意で、前記無線電力コントローラは、前記複数のＷＰＲへ供給される前記決定された電力の量が前記無線電力信号によって伝送される実際の電力よりも小さい場合に、前記無線電力信号を送信するのを停止する。
【０２２１】
例２５は、例２０乃至２４のうちいずれか１つに記載される事項を含み、任意で、前記無線電力コントローラは、複数の連続した時間インターバルの間に前記負荷変調事象を繰り返し検出する。
【０２２２】
例２６は、例２５に記載される事項を含み、任意で、前記無線電力コントローラは、夫々の時間インターバルの間に前記複数のＷＰＲの夫々に対応する１つよりも多い負荷変調事象を検出しない。
【０２２３】
例２７は、例２０乃至２６のうちいずれか１つに記載される事項を含み、任意で、前記ＷＰＴは、磁界を発生させることで前記無線電力信号を送信し、負荷変調事象は、前記磁界のレベルの低下を有する。
【０２２４】
例２８は、例２０乃至２７のうちいずれか１つに記載される事項を含み、任意で、前記ＷＰＴは、前記無線電力信号を生成する送信（Ｔｘ）共振器と、該Ｔｘ共振器に対する負荷の変化に基づき前記負荷変調事象を検出する検出器とを有する。
【０２２５】
例２９は、例２８に記載される事項を含み、任意で、前記検出器は、前記Ｔｘ共振器における電圧の低下と、前記Ｔｘ共振器を流れる電流の増大とを有するグループから選択される少なくとも１つのパラメータに基づき、前記負荷変調事象を検出する。
【０２２６】
例３０は、例１８又は１９に記載される事項を含み、任意で、当該装置は、前記ＷＰＲを有し、前記無線電力コントローラは、前記ＷＰＲを制御して、前記要求されている電力の量に基づき前記存続期間に前記無線電力信号に対する負荷を変調し、前記所定の時間インターバルで前記無線電力信号に対する前記負荷の変調を繰り返す。
【０２２７】
例３１は、例３０に記載される事項を含み、任意で、前記無線電力コントローラは、遅延期間を選択し、前記無線電力信号の検出と前記無線電力信号に対する前記負荷の変調との間で前記遅延期間待つ。
【０２２８】
例３２は、例３１に記載される事項を含み、任意で、前記無線電力コントローラは、所定範囲の遅延期間の中から前記遅延期間を選択し、前記存続期間は、前記所定範囲の遅延期間の中の最短の遅延期間よりも短い。
【０２２９】
例３３は、例３１又は３２に記載される事項を含み、任意で、前記無線電力コントローラは、前記遅延期間をランダムに選択する。
【０２３０】
例３４は、例３０乃至３３のうちいずれか１つに記載される事項を含み、任意で、前記無線電力コントローラは、前記無線電力信号のリセットを検出すると、前記遅延期間の前記選択を繰り返す。
【０２３１】
例３５は、例３０乃至３４のうちいずれか１つに記載される事項を含み、任意で、前記無線電力コントローラは、前記ＷＰＲを制御して、前記無線電力信号の磁界の低下を引き起こすことによって、前記無線電力信号に対する前記負荷を変調する。
【０２３２】
例３６は、無線電力伝送のシステムであって、ＷＰＴからＷＰＲへ無線電力信号を介して供給される要求されている電力の量のインジケーションを前記無線電力受信器と前記無線電力送信器との間で通信する無線電力コントローラと、プロセッサと、メモリとを有するデバイスを有し、前記インジケーションは、所定の時間インターバル内で負荷変調事象の形をとり、該負荷変調事象は、前記無線電力信号の磁界のレベルの変化を有し、前記負荷変調事象の存続期間は、前記ＷＰＴから前記ＷＰＲへ供給される前記要求されている電力の量に基づく。
【０２３３】
例３７は、例３６に記載される事項を含み、任意で、前記無線電力コントローラは、第１の要求されている電力の量を表す第１の存続期間を有する第１の変調事象を前記ＷＰＲと前記ＷＰＴとの間で通信し、第２の要求されている電力の量を表す第２の存続期間を有する第２の変調事象を前記ＷＰＲと前記ＷＰＴとの間で通信し、前記第２の存続期間は、前記第１の存続期間よりも長く、前記第２の要求されている電力の量は、前記第１の要求されている電力の量よりも多い。
【０２３４】
例３８は、例３６又は３７に記載される事項を含み、任意で、前記デバイスは、前記ＷＰＴを有し、前記無線電力コントローラは、前記ＷＰＴを制御して、前記ＷＰＲを含む複数のＷＰＲによって受信される前記無線電力信号を送信し、前記所定の時間インターバル内で１つ以上の負荷変調事象を検出し、該負荷変調事象に基づき前記複数のＷＰＲへ供給される電力の量を決定する。
【０２３５】
例３９は、例３８に記載される事項を含み、任意で、前記無線電力コントローラは、前記負荷変調事象の数及び前記負荷変調事象の存続期間に基づき前記複数のＷＰＲへ供給される前記電力の量を決定する。
【０２３６】
例４０は、例３９に記載される事項を含み、任意で、前記無線電力コントローラは、前記負荷変調事象の前記存続期間の和に基づき前記複数のＷＰＲへ供給される前記電力の量を決定する。
【０２３７】
例４１は、例３８乃至４０のいずれか１つに記載される事項を含み、任意で、前記無線電力コントローラは、前記複数のＷＰＲへ供給される前記決定された電力の量に基づき前記無線電力信号の電力を調整する。
【０２３８】
例４２は、例３８乃至４１のうちいずれか１つに記載される事項を含み、任意で、前記無線電力コントローラは、前記複数のＷＰＲへ供給される前記決定された電力の量が前記無線電力信号によって伝送される実際の電力よりも小さい場合に、前記無線電力信号を送信するのを停止する。
【０２３９】
例４３は、例３８乃至４２のうちいずれか１つに記載される事項を含み、任意で、前記無線電力コントローラは、複数の連続した時間インターバルの間に前記負荷変調事象を繰り返し検出する。
【０２４０】
例４４は、例４３に記載される事項を含み、任意で、前記無線電力コントローラは、夫々の時間インターバルの間に前記複数のＷＰＲの夫々に対応する１つよりも多い負荷変調事象を検出しない。
【０２４１】
例４５は、例３８乃至４４のうちいずれか１つに記載される事項を含み、任意で、前記ＷＰＴは、磁界を発生させることで前記無線電力信号を送信し、負荷変調事象は、前記磁界のレベルの低下を有する。
【０２４２】
例４６は、例３８乃至４５のうちいずれか１つに記載される事項を含み、任意で、前記デバイスは、前記無線電力信号を生成する送信（Ｔｘ）共振器と、該Ｔｘ共振器に対する負荷の変化に基づき前記負荷変調事象を検出する検出器とを有する。
【０２４３】
例４７は、例４６に記載される事項を含み、任意で、前記検出器は、前記Ｔｘ共振器における電圧の低下と、前記Ｔｘ共振器を流れる電流の増大とを有するグループから選択される少なくとも１つのパラメータに基づき、前記負荷変調事象を検出する。
【０２４４】
例４８は、例３６又は３７に記載される事項を含み、任意で、前記デバイスは、前記ＷＰＲを有し、前記無線電力コントローラは、前記ＷＰＲを制御して、前記要求されている電力の量に基づき前記存続期間に前記無線電力信号に対する負荷を変調し、前記所定の時間インターバルで前記無線電力信号に対する前記負荷の変調を繰り返す。
【０２４５】
例４９は、例４８に記載される事項を含み、任意で、前記無線電力コントローラは、遅延期間を選択し、前記無線電力信号の検出と前記無線電力信号に対する前記負荷の変調との間で前記遅延期間待つ。
【０２４６】
例５０は、例４９に記載される事項を含み、任意で、前記無線電力コントローラは、所定範囲の遅延期間の中から前記遅延期間を選択し、前記存続期間は、前記所定範囲の遅延期間の中の最短の遅延期間よりも短い。
【０２４７】
例５１は、例４９又は５０に記載される事項を含み、任意で、前記無線電力コントローラは、前記遅延期間をランダムに選択する。
【０２４８】
例５２は、例４８乃至５１のうちいずれか１つに記載される事項を含み、任意で、前記無線電力コントローラは、前記無線電力信号のリセットを検出すると、前記遅延期間の前記選択を繰り返す。
【０２４９】
例５３は、例４８乃至５２のうちいずれか１つに記載される事項を含み、任意で、前記無線電力コントローラは、前記ＷＰＲを制御して、前記無線電力信号の磁界の低下を引き起こすことによって、前記無線電力信号に対する前記負荷を変調する。
【０２５０】
例５４は、無線電力伝送の方法であって、無線電力送信器（ＷＰＴ）と無線電力受信器（ＷＰＲ）との間で無線電力信号を通信するステップと、前記ＷＰＴから前記ＷＰＲへ供給される要求されている電力の量のインジケーションを前記ＷＰＲと前記ＷＰＴとの間で通信するステップとを有し、前記インジケーションは、所定の時間インターバル内で負荷変調事象の形をとり、該負荷変調事象は、前記無線電力信号の磁界のレベルの変化を有し、前記負荷変調事象の存続期間は、前記無線電力送信器から前記無線電力受信器へ供給される前記要求されている電力の量に基づく、方法を含む。
【０２５１】
例５５は、例５４に記載される事項を含み、任意で、当該方法は、第１の要求されている電力の量を表す第１の存続期間を有する第１の変調事象を前記ＷＰＲと前記ＷＰＴとの間で通信するステップと、第２の要求されている電力の量を表す第２の存続期間を有する第２の変調事象を前記ＷＰＲと前記ＷＰＴとの間で通信するステップとを有し、前記第２の存続期間は、前記第１の存続期間よりも長く、前記第２の要求されている電力の量は、前記第１の要求されている電力の量よりも多い。
【０２５２】
例５６は、例５４又は５５に記載される事項を含み、任意で、当該方法は、前記ＷＰＲを含む複数のＷＰＲによって受信される前記無線電力信号を送信するステップと、前記所定の時間インターバル内で１つ以上の負荷変調事象を検出するステップと、該負荷変調事象に基づき前記複数の無線電力受信器へ供給される電力の量を決定するステップとを有する。
【０２５３】
例５７は、例５６に記載される事項を含み、任意で、当該方法は、前記負荷変調事象の数及び前記負荷変調事象の存続期間に基づき前記複数のＷＰＲへ供給される前記電力の量を決定するステップを有する。
【０２５４】
例５８は、例５７に記載される事項を含み、任意で、当該方法は、前記負荷変調事象の前記存続期間の和に基づき前記複数のＷＰＲへ供給される前記電力の量を決定するステップを有する。
【０２５５】
例５９は、例５６乃至５８のうちいずれか１つに記載される事項を含み、任意で、当該方法は、前記複数のＷＰＲへ供給される前記決定された電力の量に基づき前記無線電力信号の電力を調整するステップを有する。
【０２５６】
例６０は、例５６乃至５９のうちいずれか１つに記載される事項を含み、任意で、当該方法は、前記複数のＷＰＲへ供給される前記決定された電力の量が前記無線電力信号によって伝送される実際の電力よりも小さい場合に、前記無線電力信号を送信するのを停止するステップを有する。
【０２５７】
例６１は、例５６乃至６０のうちいずれか１つに記載される事項を含み、任意で、当該方法は、複数の連続した時間インターバルの間に前記負荷変調事象を繰り返し検出するステップを有する。
【０２５８】
例６２は、例６１に記載される事項を含み、任意で、当該方法は、夫々の時間インターバルの間に前記複数のＷＰＲの夫々に対応する１つよりも多い負荷変調事象を検出しないステップを有する。
【０２５９】
例６３は、例５６乃至６２のうちいずれか１つに記載される事項を含み、任意で、当該方法は、磁界を発生させることで前記無線電力信号を送信するステップを有し、前記負荷変調事象は、前記磁界のレベルの低下を有する。
【０２６０】
例６４は、例５６乃至６３のうちいずれか１つに記載される事項を含み、任意で、当該方法は、送信（Ｔｘ）共振器に対する負荷の変化に基づき前記負荷変調事象を検出するステップを有する。
【０２６１】
例６５は、例６４に記載される事項を含み、任意で、当該方法は、前記Ｔｘ共振器における電圧の低下と、前記Ｔｘ共振器を流れる電流の増大とを有するグループから選択される少なくとも１つのパラメータに基づき、前記負荷変調事象を検出するステップを有する。
【０２６２】
例６６は、例５４又は５５に記載される事項を含み、任意で、当該方法は、前記ＷＰＲで前記無線電力信号を受信するステップと、前記要求されている電力の量に基づき前記存続期間に前記無線電力信号に対する負荷を変調するステップと、前記所定の時間インターバルで前記無線電力信号に対する前記負荷の変調を繰り返すステップとを有する。
【０２６３】
例６７は、例６６に記載される事項を含み、任意で、当該方法は、遅延期間を選択し、前記無線電力信号の検出と前記無線電力信号に対する前記負荷の変調との間で前記遅延期間待つステップを有する。
【０２６４】
例６８は、例６７に記載される事項を含み、任意で、当該方法は、所定範囲の遅延期間の中から前記遅延期間を選択するステップを有し、前記存続期間は、前記所定範囲の遅延期間の中の最短の遅延期間よりも短い。
【０２６５】
例６９は、例６７又は６８に記載される事項を含み、任意で、当該方法は、前記遅延期間をランダムに選択するステップを有する。
【０２６６】
例７０は、例６６乃至６９のうちいずれか１つに記載される事項を含み、任意で、当該方法は、前記無線電力信号のリセットを検出すると、前記遅延期間の前記選択を繰り返すステップを有する。
【０２６７】
例７１は、例６６乃至７０のうちいずれか１つに記載される事項を含み、任意で、当該方法は、前記無線電力信号の磁界の低下を引き起こすことによって、前記無線電力信号に対する前記負荷を変調するステップを有する。
【０２６８】
例７２は、マシンによって実行される場合に、複数の無線電力受信器（ＷＰＲ）によって受信される無線電力信号を送信することと、前記無線電力信号に対する負荷の変化に基づき所定の時間インターバル内で１つ以上の負荷変調事象を検出することと、該負荷変調事象に基づき前記複数の無線電力受信器へ供給される電力の量を決定することとを生じさせる命令を記憶した非一時的な記憶媒体を含む製品を含む。
【０２６９】
例７３は、例７２で記載される事項を含み、任意で、前記命令は、前記負荷変調事象の数及び前記負荷変調事象の存続期間に基づき前記複数のＷＰＲへ供給される前記電力の量を決定することを生じさせる。
【０２７０】
例７４は、例７３に記載される事項を含み、任意で、前記命令は、前記負荷変調事象の前記存続期間の和に基づき前記複数のＷＰＲへ供給される前記電力の量を決定することを生じさせる。
【０２７１】
例７５は、例７２乃至７４のうちいずれか１つに記載される事項を含み、任意で、前記命令は、前記複数のＷＰＲへ供給される前記決定された電力の量に基づき前記無線電力信号の電力を調整することを生じさせる。
【０２７２】
例７６は、例７２乃至７５のうちいずれか１つに記載される事項を含み、任意で、前記命令は、前記複数のＷＰＲへ供給される前記決定された電力の量が前記無線電力信号によって伝送される実際の電力よりも小さい場合に、前記無線電力信号を送信するのを停止することを生じさせる。
【０２７３】
例７７は、例７２乃至７６のうちいずれか１つに記載される事項を含み、任意で、前記命令は、複数の連続した時間インターバルの間に前記負荷変調事象を繰り返し検出することを生じさせる。
【０２７４】
例７８は、例７７に記載される事項を含み、任意で、前記命令は、夫々の時間インターバルの間に前記複数のＷＰＲの夫々に対応する１つよりも多い負荷変調事象を検出しないことを生じさせる。
【０２７５】
例７９は、例７２乃至７８のうちいずれか１つに記載される事項を含み、任意で、前記命令は、磁界を発生させることで前記無線電力信号を送信することを生じさせ、負荷変調事象は、前記磁界のレベルの低下を有する。
【０２７６】
例８０は、例７２乃至７９のうちいずれか１つに記載される事項を含み、任意で、前記命令は、送信（Ｔｘ）共振器に対する負荷の変化に基づき前記負荷変調事象を検出することを生じさせる。
【０２７７】
例８１は、例８０に記載される事項を含み、任意で、前記命令は、前記Ｔｘ共振器における電圧の低下と、前記Ｔｘ共振器を流れる電流の増大とを有するグループから選択される少なくとも１つのパラメータに基づき、前記負荷変調事象を検出することを生じさせる。
【０２７８】
例８２は、マシンによって実行される場合に、無線電力送信器（ＷＰＴ）から無線電力信号を受信することと、要求される電力の量に基づきある存続期間に前記無線電力信号に対する負荷を変調することと、所定の時間インターバルで前記無線電力信号に対する前記負荷の変調を繰り返すこととを生じさせる命令を記憶した非一時的な記憶媒体を含む製品を含む。
【０２７９】
例８３は、例８２に記載される事項を含み、任意で、前記命令は、第１の要求される電力の量を表す第１の存続期間に前記無線電力信号に対する前記負荷を変調することと、第２の要求される電力の量を表す第２の存続期間に前記無線電力信号に対する前記負荷を変調することとを生じさせ、前記第２の存続期間は、前記第１の存続期間よりも長く、前記第２の要求される電力の量は、前記第１の要求される電力の量よりも多い。
【０２８０】
例８４は、例８２又は８３に記載される事項を含み、任意で、前記命令は、遅延期間を選択し、前記無線電力信号の検出と前記無線電力信号に対する前記負荷の変調との間で前記遅延期間待つことを生じさせる。
【０２８１】
例８５は、例８４に記載される事項を含み、任意で、前記命令は、所定範囲の遅延期間の中から前記遅延期間を選択することを生じさせ、前記存続期間は、前記所定範囲の遅延期間の中の最短の遅延期間よりも短い。
【０２８２】
例８６は、例８４又は８５に記載される事項を含み、任意で、前記命令は、前記遅延期間をランダムに選択することを生じさせる。
【０２８３】
例８７は、例８４乃至８６のうちいずれか１つに記載される事項を含み、任意で、前記命令は、前記無線電力信号のリセットを検出すると、前記遅延期間の前記選択を繰り返すことを生じさせる。
【０２８４】
例８８は、例８２乃至８７のうちいずれか１つに記載される事項を含み、任意で、前記命令は、前記無線電力信号の磁界の低下を引き起こすことによって、前記無線電力信号に対する前記負荷を変調することを生じさせる。
【０２８５】
例８９は、マシンによって実行される場合に、無線電力送信器（ＷＰＴ）と無線電力受信器（ＷＰＲ）との間で無線電力信号を通信することと、前記ＷＰＴから前記ＷＰＲへ供給される要求されている電力の量のインジケーションを前記ＷＰＲと前記ＷＰＴとの間で通信することとを生じさせる命令を記憶した非一時的な記憶媒体を含む製品であって、前記インジケーションは、所定の時間インターバル内で負荷変調事象の形をとり、該負荷変調事象は、前記無線電力信号の磁界のレベルの変化を有し、前記負荷変調事象の存続期間は、前記無線電力送信器から前記無線電力受信器へ供給される前記要求されている電力の量に基づく、製品を含む。
【０２８６】
例９０は、例８９に記載される事項を含み、任意で、前記命令は、第１の要求されている電力の量を表す第１の存続期間を有する第１の変調事象を前記ＷＰＲと前記ＷＰＴとの間で通信することと、第２の要求されている電力の量を表す第２の存続期間を有する第２の変調事象を前記ＷＰＲと前記ＷＰＴとの間で通信することとを生じさせ、前記第２の存続期間は、前記第１の存続期間よりも長く、前記第２の要求されている電力の量は、前記第１の要求されている電力の量よりも多い。
【０２８７】
例９１は、例８９又は９０に記載される事項を含み、任意で、前記命令は、前記ＷＰＲを含む複数のＷＰＲによって受信される前記無線電力信号を送信することと、前記所定の時間インターバル内で１つ以上の負荷変調事象を検出することと、該負荷変調事象に基づき前記複数のＷＰＲへ供給される電力の量を決定することとを生じさせる。
【０２８８】
例９２は、例９１に記載される事項を含み、任意で、前記命令は、前記負荷変調事象の数及び前記負荷変調事象の存続期間に基づき前記複数のＷＰＲへ供給される前記電力の量を決定することを生じさせる。
【０２８９】
例９３は、例９２に記載される事項を含み、任意で、前記命令は、前記負荷変調事象の前記存続期間の和に基づき前記複数のＷＰＲへ供給される前記電力の量を決定することを生じさせる。
【０２９０】
例９４は、例９１乃至９３のいずれか１つに記載される事項を含み、任意で、前記命令は、前記複数のＷＰＲへ供給される前記決定された電力の量に基づき前記無線電力信号の電力を調整することを生じさせる。
【０２９１】
例９５は、例９１乃至９４のうちいずれか１つに記載される事項を含み、任意で、前記命令は、前記複数のＷＰＲへ供給される前記決定された電力の量が前記無線電力信号によって伝送される実際の電力よりも小さい場合に、前記無線電力信号を送信するのを停止することを生じさせる。
【０２９２】
例９６は、例９１乃至９５のうちいずれか１つに記載される事項を含み、任意で、前記命令は、複数の連続した時間インターバルの間に前記負荷変調事象を繰り返し検出することを生じさせる。
【０２９３】
例９７は、例９６に記載される事項を含み、任意で、前記命令は、夫々の時間インターバルの間に前記複数のＷＰＲの夫々に対応する１つよりも多い負荷変調事象を検出しないことを生じさせる。
【０２９４】
例９８は、例９１乃至９７のうちいずれか１つに記載される事項を含み、任意で、前記命令は、磁界を発生させることで前記無線電力信号を送信することを生じさせ、負荷変調事象は、前記磁界のレベルの低下を有する。
【０２９５】
例９９は、例９１乃至９８のうちいずれか１つに記載される事項を含み、任意で、前記命令は、送信（Ｔｘ）共振器に対する負荷の変化に基づき前記負荷変調事象を検出することを生じさせる。
【０２９６】
例１００は、例９９に記載される事項を含み、任意で、前記命令は、前記Ｔｘ共振器における電圧の低下と、前記Ｔｘ共振器を流れる電流の増大とを有するグループから選択される少なくとも１つのパラメータに基づき、前記負荷変調事象を検出することを生じさせる。
【０２９７】
例１０１は、例８９又は９０に記載される事項を含み、任意で、前記命令は、前記ＷＰＲで前記無線電力信号を受信することと、前記要求されている電力の量に基づき前記存続期間に前記無線電力信号に対する負荷を変調することと、前記所定の時間インターバルで前記無線電力信号に対する前記負荷の変調を繰り返すこととを生じさせる。
【０２９８】
例１０２は、例１０１に記載される事項を含み、任意で、前記命令は、遅延期間を選択し、前記無線電力信号の検出と前記無線電力信号に対する前記負荷の変調との間で前記遅延期間待つことを生じさせる。
【０２９９】
例１０３は、例１０１に記載される事項を含み、任意で、前記命令は、所定範囲の遅延期間の中から前記遅延期間を選択することを生じさせ、前記存続期間は、前記所定範囲の遅延期間の中の最短の遅延期間よりも短い。
【０３００】
例１０４は、例１０２又は１０３に記載される事項を含み、任意で、前記命令は、前記遅延期間をランダムに選択することを生じさせる。
【０３０１】
例１０５は、例１０１乃至１０４のうちいずれか１つに記載される事項を含み、任意で、前記命令は、前記無線電力信号のリセットを検出すると、前記遅延期間の前記選択を繰り返すことを生じさせる。
【０３０２】
例１０６は、例１０１乃至１０５のうちいずれか１つに記載される事項を含み、任意で、前記命令は、前記ＷＰＲを制御して、前記無線電力信号の磁界の低下を引き起こすことによって、前記無線電力信号に対する前記負荷を変調することを生じさせる。
【０３０３】
例１０７は、複数の無線電力受信器（ＷＰＲ）によって受信される無線電力信号を送信する手段と、前記無線電力信号に対する負荷の変化に基づき所定の時間インターバル内で１つ以上の負荷変調事象を検出する手段と、該負荷変調事象に基づき前記複数の無線電力受信器へ供給される電力の量を決定する手段とを有する装置を含む。
【０３０４】
例１０８は、例１０７で記載される事項を含み、任意で、当該装置は、前記負荷変調事象の数及び前記負荷変調事象の存続期間に基づき前記複数のＷＰＲへ供給される前記電力の量を決定する手段を有する。
【０３０５】
例１０９は、例１０８に記載される事項を含み、任意で、当該装置は、前記負荷変調事象の前記存続期間の和に基づき前記複数のＷＰＲへ供給される前記電力の量を決定する手段を有する。
【０３０６】
例１１０は、例１０７乃至１０９のうちいずれか１つに記載される事項を含み、任意で、当該装置は、前記複数のＷＰＲへ供給される前記決定された電力の量に基づき前記無線電力信号の電力を調整する手段を有する。
【０３０７】
例１１１は、例１０７乃至１１０のうちいずれか１つに記載される事項を含み、任意で、当該装置は、前記複数のＷＰＲへ供給される前記決定された電力の量が前記無線電力信号によって伝送される実際の電力よりも小さい場合に、前記無線電力信号を送信するのを停止する手段を有する。
【０３０８】
例１１２は、例１０７乃至１１１のうちいずれか１つに記載される事項を含み、任意で、当該装置は、複数の連続した時間インターバルの間に前記負荷変調事象を繰り返し検出する手段を有する。
【０３０９】
例１１３は、例１１２に記載される事項を含み、任意で、当該装置は、夫々の時間インターバルの間に前記複数のＷＰＲの夫々に対応する１つよりも多い負荷変調事象を検出しない手段を有する。
【０３１０】
例１１４は、例１０７乃至１１３のうちいずれか１つに記載される事項を含み、任意で、当該装置は、磁界を発生させることで前記無線電力信号を送信する手段を有し、負荷変調事象は、前記磁界のレベルの低下を有する。
【０３１１】
例１１５は、例１０７乃至１１４のうちいずれか１つに記載される事項を含み、任意で、当該装置は、送信（Ｔｘ）共振器に対する負荷の変化に基づき前記負荷変調事象を検出する手段を有する。
【０３１２】
例１１６は、例１１５に記載される事項を含み、任意で、当該装置は、前記Ｔｘ共振器における電圧の低下と、前記Ｔｘ共振器を流れる電流の増大とを有するグループから選択される少なくとも１つのパラメータに基づき、前記負荷変調事象を検出する手段を有する。
【０３１３】
例１１７は、無線電力伝送の装置であって、無線電力送信器（ＷＰＴ）から無線電力信号を受信する手段と、要求される電力の量に基づきある存続期間に前記無線電力信号に対する負荷を変調する手段と、所定の時間インターバルで前記無線電力信号に対する前記負荷の変調を繰り返す手段とを有する装置を含む。
【０３１４】
例１１８は、例１１７に記載される事項を含み、任意で、当該装置は、第１の要求される電力の量を表す第１の存続期間に前記無線電力信号に対する前記負荷を変調し、第２の要求される電力の量を表す第２の存続期間に前記無線電力信号に対する前記負荷を変調する手段を有し、前記第２の存続期間は、前記第１の存続期間よりも長く、前記第２の要求される電力の量は、前記第１の要求される電力の量よりも多い。
【０３１５】
例１１９は、例１１７又は１１８に記載される事項を含み、任意で、当該装置は、遅延期間を選択し、前記無線電力信号の検出と前記無線電力信号に対する前記負荷の変調との間で前記遅延期間待つ手段を有する。
【０３１６】
例１２０は、例１１９に記載される事項を含み、任意で、当該装置は、所定範囲の遅延期間の中から前記遅延期間を選択する手段を有し、前記存続期間は、前記所定範囲の遅延期間の中の最短の遅延期間よりも短い。
【０３１７】
例１２１は、例１１９又は１２０に記載される事項を含み、任意で、当該装置は、前記遅延期間をランダムに選択する手段を有する。
【０３１８】
例１２２は、例１１９乃至１２１のうちいずれか１つに記載される事項を含み、任意で、当該装置は、前記無線電力信号のリセットを検出すると、前記遅延期間の前記選択を繰り返す手段を有する。
【０３１９】
例１２３は、例１０７乃至１２２のうちいずれか１つに記載される事項を含み、任意で、当該装置は、前記無線電力信号の磁界の低下を引き起こすことによって、前記無線電力信号に対する前記負荷を変調する手段を有する。
【０３２０】
例１２４は、無線電力伝送の装置であって、無線電力送信器（ＷＰＴ）と無線電力受信器（ＷＰＲ）との間で無線電力信号を通信する手段と、前記ＷＰＴから前記ＷＰＲへ無線電力信号を介して供給される要求されている電力の量のインジケーションを前記ＷＰＲと前記ＷＰＴとの間で通信する手段とを有し、前記インジケーションは、所定の時間インターバル内で負荷変調事象の形をとり、該負荷変調事象は、前記無線電力信号の磁界のレベルの変化を有し、前記負荷変調事象の存続期間は、前記ＷＰＴから前記ＷＰＲへ供給される前記要求されている電力の量に基づく、装置を含む。
【０３２１】
例１２５は、例１２４に記載される事項を含み、任意で、当該装置は、第１の要求されている電力の量を表す第１の存続期間を有する第１の変調事象を前記ＷＰＲと前記ＷＰＴとの間で通信し、第２の要求されている電力の量を表す第２の存続期間を有する第２の変調事象を前記ＷＰＲと前記ＷＰＴとの間で通信する手段を有し、前記第２の存続期間は、前記第１の存続期間よりも長く、前記第２の要求されている電力の量は、前記第１の要求されている電力の量よりも多い。
【０３２２】
例１２６は、例１２４又は１２５に記載される事項を含み、任意で、当該装置は、前記ＷＰＲを含む複数のＷＰＲによって受信される前記無線電力信号を送信し、前記所定の時間インターバル内で１つ以上の負荷変調事象を検出し、該負荷変調事象に基づき前記複数のＷＰＲへ供給される電力の量を決定する手段を有する。
【０３２３】
例１２７は、例１２６に記載される事項を含み、任意で、当該装置は、前記負荷変調事象の数及び前記負荷変調事象の存続期間に基づき前記複数のＷＰＲへ供給される前記電力の量を決定する手段を有する。
【０３２４】
例１２８は、例１２７に記載される事項を含み、任意で、当該装置は、前記負荷変調事象の前記存続期間の和に基づき前記複数のＷＰＲへ供給される前記電力の量を決定する手段を有する。
【０３２５】
例１２９は、例１２６乃至１２８のいずれか１つに記載される事項を含み、任意で、当該装置は、前記複数のＷＰＲへ供給される前記決定された電力の量に基づき前記無線電力信号の電力を調整する手段を有する。
【０３２６】
例１３０は、例１２６乃至１２９のうちいずれか１つに記載される事項を含み、任意で、当該装置は、前記複数のＷＰＲへ供給される前記決定された電力の量が前記無線電力信号によって伝送される実際の電力よりも小さい場合に、前記無線電力信号を送信するのを停止する手段を有する。
【０３２７】
例１３１は、例１２６乃至１３０のうちいずれか１つに記載される事項を含み、任意で、当該装置は、複数の連続した時間インターバルの間に前記負荷変調事象を繰り返し検出する手段を有する。
【０３２８】
例１３２は、例１３１に記載される事項を含み、任意で、当該装置は、夫々の時間インターバルの間に前記複数のＷＰＲの夫々に対応する１つよりも多い負荷変調事象を検出しない手段を有する。
【０３２９】
例１３３は、例１２６乃至１３２のうちいずれか１つに記載される事項を含み、任意で、当該装置は、磁界を発生させることで前記無線電力信号を送信する手段を有し、負荷変調事象は、前記磁界のレベルの低下を有する。
【０３３０】
例１３４は、例１２６乃至１３３のうちいずれか１つに記載される事項を含み、任意で、当該装置は、送信（Ｔｘ）共振器に対する負荷の変化に基づき前記負荷変調事象を検出する手段を有する。
【０３３１】
例１３５は、例１３４に記載される事項を含み、任意で、当該装置は、前記Ｔｘ共振器における電圧の低下と、前記Ｔｘ共振器を流れる電流の増大とを有するグループから選択される少なくとも１つのパラメータに基づき、前記負荷変調事象を検出する手段を有する。
【０３３２】
例１３６は、例１２４又は１２５に記載される事項を含み、任意で、当該装置は、前記ＷＰＲで前記無線電力信号を受信し、前記要求されている電力の量に基づき前記存続期間に前記無線電力信号に対する負荷を変調し、前記所定の時間インターバルで前記無線電力信号に対する前記負荷の変調を繰り返す手段を有する。
【０３３３】
例１３７は、例１３６に記載される事項を含み、任意で、当該装置は、遅延期間を選択し、前記無線電力信号の検出と前記無線電力信号に対する前記負荷の変調との間で前記遅延期間待つ手段を有する。
【０３３４】
例１３８は、例１３７に記載される事項を含み、任意で、当該装置は、所定範囲の遅延期間の中から前記遅延期間を選択する手段を有し、前記存続期間は、前記所定範囲の遅延期間の中の最短の遅延期間よりも短い。
【０３３５】
例１３９は、例１３７又は１３８に記載される事項を含み、任意で、当該装置は、前記遅延期間をランダムに選択する手段を有する。
【０３３６】
例１４０は、例１３６乃至１３９のうちいずれか１つに記載される事項を含み、任意で、当該装置は、前記無線電力信号のリセットを検出すると、前記遅延期間の前記選択を繰り返す手段を有する。
【０３３７】
例１４１は、例１３６乃至１４０のうちいずれか１つに記載される事項を含み、任意で、当該装置は、前記無線電力信号の磁界の低下を引き起こすことによって、前記無線電力信号に対する前記負荷を変調する手段を有する。
【０３３８】
１つ以上の実施形態を参照してここで記載される機能、動作、コンポーネント及び／又は特徴は、１つ以上の他の実施形態を参照してここで記載される１つ以上の他の機能、動作、コンポーネント及び／又は特徴と組み合わされてよく、あるいは、それらとともに使用されてよく、あるいは、その逆もある。
【０３３９】
いくつかの実施形態の特定の特徴がここで図解及び記載されてきたが、多数の改良、置換、変更、及び均等は、当業者に想到可能である。従って、添付の特許請求の範囲は、本発明の技術的範囲内にある全てのそのような改良及び変更を網羅するよう意図される。
【０３４０】
［関連出願の相互参照］
本願は、２０１３年７月１９日付けで出願された、“Multiple  device  wireless  charging  using  load  modulation”と題された米国特許仮出願第６１／８５６１４９号に基づく優先権を主張するものです。この先願の全文は、参照により本願に援用される。
【図１】
2016526372.tif 000003
【図２】
2016526372.tif 000004
【図３】
2016526372.tif 000005
【図４】
2016526372.tif 000006
【図５】
2016526372.tif 000007
【図６】
2016526372.tif 000008
【図７】
2016526372.tif 000009
【国際調査報告】
2016526372.tif 000010
2016526372.tif 000011